(57)【要約】  本開示は、ユーザ機器、電子機器、無線通信方法及び記憶媒体に係る。本開示によるユーザ機器は処理回路を含み、ネットワーク側機器のＫ個の送信ビームからＧ個の送信ビームグループを選択し、選択されたＧ個の送信ビームグループに関する情報を前記ネットワーク側機器に送信するように配置され、前記Ｇ個の送信ビームグループのそれぞれはＮ個の送信ビームを含み、且つ、前記ユーザ機器は、前記ネットワーク側機器が前記Ｎ個の送信ビームを用いて送信したダウンリンク情報を同時に受信することができ、Ｋ、Ｎ、Ｇは１よりも大きい整数である。本開示によるユーザ機器、電子機器、無線通信方法及び記憶媒体を使用すると、ビームフォーミング技術を利用するシステムにおけるビーム選択プロセスを改善することができる。
2021532657.tif 000002
【特許請求の範囲】
【請求項１】
ユーザ機器であって、
処理回路を含み、
前記処理回路は、
ネットワーク側機器のＫ個の送信ビームからＧ個の送信ビームグループを選択し、
選択されたＧ個の送信ビームグループに関する情報を前記ネットワーク側機器に送信するように配置され、
前記Ｇ個の送信ビームグループにおける各送信ビームグループは、Ｎ個の送信ビームを含み、且つ前記ユーザ機器は、前記ネットワーク側機器が前記Ｎ個の送信ビームを用いて送信したダウンリンク情報を同時に受信することができ、
Ｋ、Ｎ、Ｇは、１よりも大きい整数であるユーザ機器。
【請求項２】
前記処理回路は、さらに、
前記ネットワーク側機器のＣ個の送信ビーム集合に基づいて、前記Ｇ個の送信ビームグループを選択し、各送信ビームグループにＮ個の送信ビーム集合のそれぞれからのＮ個の送信ビームを含ませる、ように配置され、
ＣはＮ以上の整数である請求項１に記載のユーザ機器。
【請求項３】
前記Ｃ個の送信ビーム集合における各送信ビーム集合は、前記ネットワーク側機器の１つ又は複数のアンテナ板によって放射される全ての送信ビームを含む請求項２に記載のユーザ機器。
【請求項４】
前記処理回路は、さらに、
前記ネットワーク側機器のＫ個の送信ビームと前記ユーザ機器との間のチャネル品質に基づいて、前記Ｇ個の送信ビームグループを選択するように配置される請求項２に記載のユーザ機器。
【請求項５】
前記処理回路は、さらに、
所定期間内の各送信ビームと前記ユーザ機器との間のチャネル品質の平均値に基づいて、前記送信ビームと前記ユーザ機器との間のチャネル品質を決定するように配置される請求項４に記載のユーザ機器。
【請求項６】
前記処理回路は、さらに、
前記ネットワーク側機器のＣ個の送信ビーム集合に基づいて、全ての送信ビームグループを決定し、
各送信ビームグループに含まれるＮ個の送信ビームと前記ユーザ機器との間のチャネル品質に基づいて、各送信ビームグループの平均チャネル品質を決定し、
各送信ビームグループの平均チャネル品質に基づいて、前記Ｇ個の送信ビームグループを選択するように配置される請求項４に記載のユーザ機器。
【請求項７】
前記処理回路は、さらに、
前記選択されたＧ個の送信ビームグループに関する情報に、前記Ｇ個の送信ビームグループにおける各送信ビームグループに含まれるＮ個の送信ビームの識別情報を含ませるように配置される請求項２に記載のユーザ機器。
【請求項８】
各送信ビームの識別情報は、前記送信ビームの所在する送信ビーム集合の識別情報と、前記送信ビームの前記送信ビーム集合における識別情報とを含む請求項７に記載のユーザ機器。
【請求項９】
前記処理回路は、さらに、
前記選択されたＧ個の送信ビームグループに関する情報に、前記Ｇ個の送信ビームグループの全て又は一部の送信ビームグループのチャネル品質情報をさらに含ませるように配置される請求項７に記載のユーザ機器。
【請求項１０】
送信ビームグループのチャネル品質情報は、前記送信ビームグループに含まれるＮ個の送信ビームにおける各送信ビームのチャネル品質、又は、前記送信ビームグループの平均チャネル品質を含む請求項９に記載のユーザ機器。
【請求項１１】
前記処理回路は、さらに、
参照信号受信電力ＲＳＲＰ、参照信号受信品質ＲＳＲＱ及び信号対干渉ノイズ比ＳＩＮＲのうちの１つ又は複数を用いてチャネル品質を示すように配置される請求項４〜６、９又は１０のいずれか１つに記載のユーザ機器。
【請求項１２】
前記処理回路は、さらに、
１つのチャネル状態情報ＣＳＩレポートを用いて、前記選択されたＧ個の送信ビームグループに関する情報を搬送するように配置される請求項１に記載のユーザ機器。
【請求項１３】
前記処理回路は、さらに、
前記ネットワーク側機器から制御情報を受信し、
前記制御情報に基づいて、前記ネットワーク側機器によって選択された、ダウンリンク情報を送信するための送信ビームグループを決定するように配置される請求項１に記載のユーザ機器。
【請求項１４】
前記処理回路は、さらに、
ダウンリンク制御情報ＤＣＩによって前記制御情報を受信し、
前記制御情報に基づいて、前記ネットワーク側機器によって選択された、ダウンリンクデータ情報を送信するための送信ビームグループを決定するように配置される請求項１３に記載のユーザ機器。
【請求項１５】
前記処理回路は、さらに、
メディアアクセス制御ＭＡＣ層シグナリングによって前記制御情報を受信し、
前記制御情報に基づいて、前記ネットワーク側機器によって選択された、ダウンリンク制御情報を送信するための送信ビームグループを決定するように配置される請求項１３に記載のユーザ機器。
【請求項１６】
電子機器であって、
処理回路を含み、
前記処理回路は、
ユーザ機器からＧ個の送信ビームグループに関する情報を受信し、
前記Ｇ個の送信ビームグループから、ダウンリンク情報を送信するための送信ビームグループを選択するように配置され、
前記Ｇ個の送信ビームグループにおける各送信ビームグループはＮ個の送信ビームを含み、且つ、前記ユーザ機器は、前記電子機器が前記Ｎ個の送信ビームを用いて送信したダウンリンク情報を同時に受信することができ、
ＮとＧは、１よりも大きい整数である電子機器。
【請求項１７】
前記処理回路は、さらに、
Ｇ個の送信ビームグループに関する情報に基づいて、前記Ｇ個の送信ビームグループにおける各送信ビームグループに含まれるＮ個の送信ビームの識別情報を決定するように配置される請求項１６に記載の電子機器。
【請求項１８】
各送信ビームの識別情報は、前記送信ビームの所在する送信ビーム集合の識別情報と、前記送信ビームの前記送信ビーム集合における識別情報とを含む請求項１７に記載の電子機器。
【請求項１９】
前記処理回路は、さらに、
Ｇ個の送信ビームグループに関する情報に基づいて、前記Ｇ個の送信ビームグループの全て又は一部の送信ビームグループのチャネル品質情報を決定するように配置される請求項１７に記載の電子機器。
【請求項２０】
送信ビームグループのチャネル品質情報は、前記送信ビームグループに含まれるＮ個の送信ビームにおける各送信ビームのチャネル品質、又は、前記送信ビームグループの平均チャネル品質を含む請求項１９に記載の電子機器。
【請求項２１】
前記処理回路は、さらに、
前記ユーザ機器に制御情報を送信するように配置され、前記制御情報は、選択された、ダウンリンク情報を送信するための送信ビームグループに関する情報を含む請求項１６に記載の電子機器。
【請求項２２】
前記処理回路は、さらに、
ダウンリンク制御情報ＤＣＩによって前記制御情報を送信するように配置され、前記制御情報は、選択された、ダウンリンクデータ情報を送信するための送信ビームグループに関する情報を含む請求項２１に記載の電子機器。
【請求項２３】
前記処理回路は、さらに、
メディアアクセス制御ＭＡＣ層シグナリングによって前記制御情報を送信するように配置され、前記制御情報は、選択された、ダウンリンク制御情報を送信するための送信ビームグループに関する情報を含む請求項２１に記載の電子機器。
【請求項２４】
前記処理回路は、さらに、
前記Ｇ個の送信ビームグループに関する情報を取得するために、前記ユーザ機器から１つのチャネル状態情報ＣＳＩレポートを受信するように配置される請求項１６に記載の電子機器。
【請求項２５】
ユーザ機器により実行される無線通信方法であって、
ネットワーク側機器のＫ個の送信ビームからＧ個の送信ビームグループを選択し、
選択されたＧ個の送信ビームグループに関する情報を前記ネットワーク側機器に送信することを含み、
前記Ｇ個の送信ビームグループにおける各送信ビームグループはＮ個の送信ビームを含み、且つ、前記ユーザ機器は、前記ネットワーク側機器が前記Ｎ個の送信ビームを用いて送信したダウンリンク情報を同時に受信することができ、
Ｋ、Ｎ、Ｇは、１よりも大きい整数である無線通信方法。
【請求項２６】
Ｇ個の送信ビームグループを選択することは、
前記ネットワーク側機器のＣ個の送信ビーム集合に基づいて、前記Ｇ個の送信ビームグループを選択し、各送信ビームグループにＮ個の送信ビーム集合のそれぞれからのＮ個の送信ビームを含ませることを含み、
ＣはＮ以上の整数である請求項２５に記載の無線通信方法。
【請求項２７】
前記Ｃ個の送信ビーム集合における各送信ビーム集合は、前記ネットワーク側機器の１つ又は複数のアンテナ板によって放射される全ての送信ビームを含む請求項２６に記載の無線通信方法。
【請求項２８】
Ｇ個の送信ビームグループを選択することは、
前記ネットワーク側機器のＫ個の送信ビームと前記ユーザ機器との間のチャネル品質に基づいて、前記Ｇ個の送信ビームグループを選択することを含む請求項２６に記載の無線通信方法。
【請求項２９】
前記無線通信方法は、
所定期間内の各送信ビームと前記ユーザ機器との間のチャネル品質の平均値に基づいて、前記送信ビームと前記ユーザ機器との間のチャネル品質を決定することをさらに含む請求項２８に記載の無線通信方法。
【請求項３０】
Ｇ個の送信ビームグループを選択することは、
前記ネットワーク側機器のＣ個の送信ビーム集合に基づいて、全ての送信ビームグループを決定し、
各送信ビームグループに含まれるＮ個の送信ビームと前記ユーザ機器との間のチャネル品質に基づいて、各送信ビームグループの平均チャネル品質を決定し、
各送信ビームグループの平均チャネル品質に基づいて、前記Ｇ個の送信ビームグループを選択することを含む請求項２８に記載の無線通信方法。
【請求項３１】
前記選択されたＧ個の送信ビームグループに関する情報は、前記Ｇ個の送信ビームグループにおける各送信ビームグループに含まれるＮ個の送信ビームの識別情報を含む請求項２６に記載の無線通信方法。
【請求項３２】
各送信ビームの識別情報は、前記送信ビームの所在する送信ビーム集合の識別情報と、前記送信ビームの前記送信ビーム集合における識別情報とを含む請求項３１に記載の無線通信方法。
【請求項３３】
前記選択されたＧ個の送信ビームグループに関する情報は、前記Ｇ個の送信ビームグループの全て又は一部の送信ビームグループのチャネル品質情報をさらに含む請求項３１に記載の無線通信方法。
【請求項３４】
送信ビームグループのチャネル品質情報は、前記送信ビームグループに含まれるＮ個の送信ビームにおける各送信ビームのチャネル品質、又は、前記送信ビームグループの平均チャネル品質を含む請求項３２に記載の無線通信方法。
【請求項３５】
前記無線通信方法は、
参照信号受信電力ＲＳＲＰ、参照信号受信品質ＲＳＲＱ及び信号対干渉ノイズ比ＳＩＮＲのうちの１つ又は複数を用いて、チャネル品質を示すことをさらに含む請求項２８〜３０、３３又は３４のいずれか１つに記載の無線通信方法。
【請求項３６】
前記無線通信方法は、
前記ネットワーク側機器から制御情報を受信し、
前記制御情報に基づいて、前記ネットワーク側機器によって選択された、ダウンリンク情報を送信するための送信ビームグループを決定することをさらに含む請求項２５に記載の無線通信方法。
【請求項３７】
前記無線通信方法は、
ダウンリンク制御情報ＤＣＩによって前記制御情報を受信し、
前記制御情報に基づいて、前記ネットワーク側機器によって選択された、ダウンリンクデータ情報を送信するための送信ビームグループを決定することをさらに含む請求項３６に記載の無線通信方法。
【請求項３８】
前記無線通信方法は、
メディアアクセス制御ＭＡＣ層シグナリングによって前記制御情報を受信し、
前記制御情報に基づいて、前記ネットワーク側機器によって選択された、ダウンリンク制御情報を送信するための送信ビームグループを決定することをさらに含む請求項３６に記載の無線通信方法。
【請求項３９】
前記無線通信方法は、
１つのチャネル状態情報ＣＳＩレポートを用いて、前記選択されたＧ個の送信ビームグループに関する情報を搬送することをさらに含む請求項２５に記載の無線通信方法。
【請求項４０】
ネットワーク側機器によって実行される無線通信方法であって、
ユーザ機器からＧ個の送信ビームグループに関する情報を受信し、
前記Ｇ個の送信ビームグループから、ダウンリンク情報を送信するための送信ビームグループを選択することを含み、
前記Ｇ個の送信ビームグループにおける各送信ビームグループはＮ個の送信ビームを含み、且つ、前記ユーザ機器は、前記ネットワーク側機器が前記Ｎ個の送信ビームを用いて送信したダウンリンク情報を同時に受信することができ、
ＮとＧは１よりも大きい整数である無線通信方法。
【請求項４１】
前記無線通信方法は、
Ｇ個の送信ビームグループに関する情報に基づいて、前記Ｇ個の送信ビームグループにおける各送信ビームグループに含まれるＮ個の送信ビームの識別情報を決定することをさらに含む請求項４０に記載の無線通信方法。
【請求項４２】
各送信ビームの識別情報は、前記送信ビームの所在する送信ビーム集合の識別情報と、前記送信ビームの前記送信ビーム集合における識別情報とを含む請求項４１に記載の無線通信方法。
【請求項４３】
前記無線通信方法は、
Ｇ個の送信ビームグループに関する情報に基づいて、前記Ｇ個の送信ビームグループの全て又は一部の送信ビームグループのチャネル品質情報を決定することをさらに含む請求項４１に記載の無線通信方法。
【請求項４４】
送信ビームグループのチャネル品質情報は、前記送信ビームグループに含まれるＮ個の送信ビームにおける各送信ビームのチャネル品質、又は、前記送信ビームグループの平均チャネル品質を含む請求項４３に記載の無線通信方法。
【請求項４５】
前記無線通信方法は、
前記ユーザ機器に制御情報を送信することをさらに含み、前記制御情報は、選択された、ダウンリンク情報を送信するための送信ビームグループに関する情報を含む請求項４０に記載の無線通信方法。
【請求項４６】
前記無線通信方法は、
ダウンリンク制御情報ＤＣＩによって前記制御情報を送信することをさらに含み、前記制御情報は、選択された、ダウンリンクデータ情報を送信するための送信ビームグループに関する情報を含む請求項４５に記載の無線通信方法。
【請求項４７】
前記無線通信方法は、メディアアクセス制御ＭＡＣ層シグナリングによって前記制御情報を送信することをさらに含み、前記制御情報は、選択された、ダウンリンク制御情報を送信するための送信ビームグループに関する情報を含む請求項４５に記載の無線通信方法。
【請求項４８】
前記無線通信方法は、前記Ｇ個の送信ビームグループに関する情報を取得するために、前記ユーザ機器から１つのチャネル状態情報ＣＳＩレポートを受信することをさらに含む請求項４０に記載の無線通信方法。
【請求項４９】
コンピュータ読み取り可能な記憶媒体であって、
実行可能なコンピュータコマンドを含み、前記実行可能なコンピュータコマンドがコンピュータによって実行される場合に、前記コンピュータに請求項２５〜４８のいずれか１つに記載の無線通信方法を実行させるコンピュータ読み取り可能な記録媒体。
【発明の詳細な説明】
【技術分野】
【０００１】
本願は、２０１８年７月２４日に中国専利局に提出した、出願番号が２０１８１０８１９７３５.５であって、発明の名称が「ユーザ機器、電子機器、無線通信方法及び記憶媒体」である中国特許出願の優先権を主張し、本願で、その全ての内容を援用するものとする。
【０００２】
本開示の実施例は、全体的に無線通信分野に関し、具体的に、ユーザ機器、電子機器、無線通信方法及びコンピュータ読み取り可能な記憶媒体に関する。より具体的に、本開示は、無線通信システムにおけるユーザ機器、無線通信システムにおけるネットワーク側機器である電子機器、無線通信システムにおけるネットワーク側機器により実行される無線通信方法、無線通信システムにおけるユーザ機器により実行される無線通信方法及びコンピュータ読み取り可能な記憶媒体に関する。
【背景技術】
【０００３】
ビームフォーミングは、アンテナアレイに基づく信号前処理技術であり、ビームフォーミングは、アンテナアレイの各アレイ素子の重み付け係数を調整することで指向性のあるビームを生成し、大きなアレイゲインを得る。したがって、ビームフォーミング技術は、カバレッジの拡大、エッジスループットの改善、干渉の抑制に大きな利点がある。
【０００４】
ビームフォーミング技術を採用する無線通信システムでは、ダウンリンク伝送の場合、ネットワーク側機器は、ユーザ機器が報告した複数の候補送信ビームから適切な送信ビームを選択してダウンリンク情報を送信することができる。この場合、ユーザ機器は複数の候補送信ビームを報告する必要がある。したがって、ユーザ機器が如何に候補送信ビームを適切に選択して報告するか、及びネットワーク側機器が如何にダウンリンク情報を送信するための送信ビームをユーザ機器に通知するかは、緊急に解決すべき技術的問題である。
【発明の概要】
【課題を解決するための手段】
【０００５】
したがって、本開示は、以上の技術的問題の少なくとも１つを解決するために、ユーザ機器、電子機器、無線通信方法及びコンピュータ読み取り可能な記憶媒体を提供することを目的とする。
【０００６】
この部分は、本開示の一般的な概要を提供し、その全範囲又はその全ての特徴の包括的な開示ではない。
【０００７】
本開示は、ビームフォーミング技術を利用するシステムにおけるビーム選択プロセスを改善するために、ユーザ機器、電子機器、無線通信方法及びコンピュータ読み取り可能な記憶媒体を提供することを目的とする。
【０００８】
本開示の一態様によれば、ユーザ機器を提供し、処理回路を含み、ネットワーク側機器のＫ個の送信ビームからＧ個の送信ビームグループを選択し、選択されたＧ個の送信ビームグループに関する情報を前記ネットワーク側機器に送信するように配置されており、前記Ｇ個の送信ビームグループのそれぞれはＮ個の送信ビームを含み、且つ前記ユーザ機器は、前記ネットワーク側機器が前記Ｎ個の送信ビームを用いて送信したダウンリンク情報を同時に受信することができ、Ｋ、Ｎ、Ｇは、１よりも大きい整数である。
【０００９】
本開示の他の態様によれば、電子機器を提供し、処理回路を含み、ユーザ機器からＧ個の送信ビームグループに関する情報を受信し、前記Ｇ個の送信ビームグループから、ダウンリンク情報を送信するための送信ビームグループを選択するように配置されており、前記Ｇ個の送信ビームグループのそれぞれはＮ個の送信ビームを含み、且つ、前記ユーザ機器は、前記電子機器が前記Ｎ個の送信ビームを用いて送信したダウンリンク情報を同時に受信することができ、ＮとＧとは１よりも大きい整数である。
【００１０】
本開示の他の態様によれば、ユーザ機器により実行される無線通信方法を提供し、ネットワーク側機器のＫ個の送信ビームからＧ個の送信ビームグループを選択し、選択されたＧ個の送信ビームグループに関する情報を前記ネットワーク側機器に送信することを含んでおり、前記Ｇ個の送信ビームグループのそれぞれはＮ個の送信ビームを含み、且つ、前記ユーザ機器は、前記ネットワーク側機器が前記Ｎ個の送信ビームを用いて送信したダウンリンク情報を同時に受信することができ、Ｋ、Ｎ、Ｇは、１よりも大きい整数である。
【００１１】
本開示の他の態様によれば、ネットワーク側機器によって実行される無線通信方法を提供し、ユーザ機器からＧ個の送信ビームグループに関する情報を受信し、前記Ｇ個の送信ビームグループから、ダウンリンク情報を送信するための送信ビームグループを選択することを含んでおり、前記Ｇ個の送信ビームグループのそれぞれはＮ個の送信ビームを含み、且つ、前記ユーザ機器は、前記ネットワーク側機器が前記Ｎ個の送信ビームを用いて送信したダウンリンク情報を同時に受信することができ、ＮとＧとは１よりも大きい整数である。
【００１２】
本開示の他の態様によれば、コンピュータ読み取り可能な記憶媒体を提供し、実行可能なコンピュータコマンドを含み、前記実行可能なコンピュータコマンドがコンピュータによって実行される場合に、前記コンピュータに本開示に記載の無線通信方法を実行させるコンピュータ読み取り可能な記録媒体。
【００１３】
本開示によるユーザ機器、電子機器、無線通信方法及びコンピュータ読み取り可能な記憶媒体を使用すると、ユーザ機器は、複数の送信ビームグループを選択し、選択された複数の送信ビームグループに関する情報をネットワーク側機器に送信することができ、ネットワーク側機器は受信した複数の送信ビームグループからダウンリンク情報を送信するための送信ビームグループを選択するようにすることができる。ここで、ユーザ機器は、ネットワーク側機器が各送信ビームグループに含まれる複数の送信ビームを用いて送信したダウンリンク情報を同時に受信することができる。こうして、ユーザ機器は複数の送信ビームグループを一回で報告することができ、これにより、シグナリングオーバーヘッドを低減し、ネットワーク側機器は、選択された送信ビームグループにおける複数の送信ビームを用いて同時にユーザ機器に情報を送信することができ、これにより、ビームフォーミング技術を採用するシステムにおけるビーム選択プロセスを改善する。
【００１４】
本明細書で提供される説明から適用性領域は明らかになる。この要約における記載及び特定の例は、例示的な説明に過ぎず、本開示の範囲を限定するものではない。
【図面の簡単な説明】
【００１５】
本明細書で記載される図面は、選択された実施例の例示のためのものであり、全ての可能な実施形態ではなく、本開示の範囲を限定することを意図するものではない。
【００１６】
【図１】図１は、本開示の実施例によるユーザ機器の構成例を示すブロック図である。
【図２】図２は、本開示の実施例による、ユーザ機器が送信ビームグループを選択する模式図を示す。
【図３】図３は、本開示の実施例によるネットワーク側機器の複数のアンテナ板の模式図を示す。
【図４】図４は、本開示の実施例による、タイムウィンドウに基づいてチャネル品質を算出する模式図を示す。
【図５】図５は、本開示の実施例による、ネットワーク側機器である電子機器の構成例を示すブロック図である。
【図６】図６は、本開示の実施例による、ユーザ機器によって実行される無線通信方法のフローチャートを示す。
【図７】図７は、本開示の実施例によるネットワーク側機器によって実行される無線通信方法のフローチャートを示す。
【図８】図８は、ｇＮＢ（５Ｇシステムにおける基地局機器）の概略的な構成の第１の例を示すブロック図である。
【図９】図９は、ｇＮＢの概略的な構成の第２の例を示すブロック図である。
【図１０】図１０は、スマートフォンの概略的な構成の例を示すブロック図である。
【図１１】図１１は、カーナビゲーションの概略的な構成の例を示すブロック図である。
【００１７】
本開示は、容易に様々に修正及び置換できるが、その特定の実施例は既に例として図面に示され、ここで詳細に記載する。なお、ここの特定の実施例に対する記載は本開示を開示の具体的な形式に限定するものではなく、本開示の目的は本開示の精神と範囲に入る全ての修正、等価置換をカバーすることである。また、幾つかの図面にわたって、相応する符号が相応する部品を指す。
【発明を実施するための形態】
【００１８】
ここで、図面を参照して本開示の例をより十分に記載する。以下の記載は例示的なものであり、本開示、応用又は用途を限定するものではない。
【００１９】
本開示を詳しくするために、例示実施例を提供し、そして、当業者にその範囲を十分に伝える。多くの特定の細部、例えば、特定の部品、装置及び方法の例を述べて、本開示の実施例の詳しい理解を提供する。当業者にとって、必ずしも特定の細部を使用する必要がなく、例示実施例は多い異なる形態にて実施でき、それらは本開示の範囲を限定するものと理解されるべきではない。幾つかの例示実施例において、よく知られているプロセス、よく知られている構成及びよく知られている技術を詳細に記載しない。
【００２０】
本開示によるネットワーク側機器は、任意のタイプのＴＲＰ（Ｔｒａｎｓｍｉｔ  ａｎｄ  Ｒｅｃｅｉｖｅ  Ｐｏｒｔ、送信と受信ポート）であってもよい。当該ＴＲＰは、送信と受信の機能を有し、例えば、ユーザ機器と基地局機器から情報を受信することができ、情報をユーザ機器と基地局機器に送信することもできる。一例では、ＴＲＰは、ユーザ機器にサービスを提供することができ、基地局機器によって制御される。即ち、基地局機器は、ＴＲＰを介してユーザ機器にサービスを提供する。また、本開示に記載されるネットワーク側機器は、基地局機器であってもよく、例えば、ｅＮＢ（進化型ノードＢ）またはｇＮＢであってもよい。
【００２１】
本開示によるユーザ機器は、移動端末（例えば、スマートフォン、タブレットパソコンコンピュータ（ＰＣ）、ノートＰＣ、携帯型ゲーム端末、携帯型／ウオッチドッグ型移動ルータとデジタル撮像装置）又は車載端末（例えばカーナビゲーション機器）であってもよい。ユーザ機器は、マシンツーマシン（Ｍ２Ｍ）通信を実行する端末（マシン型通信（ＭＴＣ）端末とも称する）として実現されてもよい。また、ユーザ機器は、上記端末の各々に取り付けられた無線通信モジュール（例えば単一のチップを含む集成回路モジュール）であってもよい。
【００２２】
図１は、本開示の実施例によるユーザ機器１００の構成例を示すブロック図である。
【００２３】
図１に示すように、ユーザ機器１００は、選択ユニット１１０と、配置ユニット１２０と、通信ユニット１３０とを含むことができる。
【００２４】
ここで、電子機器１００における各ユニットは処理回路に含まれてもよい。なお、電子機器１００は１つの処理回路を含んでもよいし、複数の処理回路を含んでもよい。さらに、処理回路は、別々の機能ユニットを含んで各種の異なる機能及び／又は操作を実行することができる。なお、これらの機能ユニットは、物理エンティティ又は論理エンティティであってもよく、また、異なる呼称のユニットは同一の物理エンティティにより実現されてもよい。
【００２５】
本開示の実施例によれば、選択ユニット１１０は、ネットワーク側機器のＫ個の送信ビームからＧ個の送信ビームグループを選択することができ、ここで、ＫとＧとは１よりも大きい整数である。つまり、選択ユニット１１０はネットワーク側機器の複数の送信ビームから複数の送信ビームグループを選択することができる。
【００２６】
本開示の実施例によれば、Ｋ個の送信ビームはネットワーク側機器の全ての送信ビームであってもよい。例えば、ネットワーク側機器が１つのアンテナ板を有する場合に、Ｋ個の送信ビームは当該アンテナ板上の全ての送信ビームであってもよく、ネットワーク側機器が複数のアンテナ板を有する場合に、Ｋ個の送信ビームは複数のアンテナ板上の全ての送信ビームであってもよい。ここで、ユーザ機器１００は、事前にＫ個の送信ビームに関する情報を知ることができ、例えば、高層シグナリングにより予めネットワーク側機器からこれらのＫ個の送信ビームの情報を取得でき、これにより、選択ユニット１１０は、Ｋ個の送信ビームからＧ個の送信ビームグループを選択することができる。
【００２７】
好ましくは、ＫはＧ以上であってもよい。より好ましくは、Ｋは２ｋ、Ｇは２ｇであってもよく、ｋとｇとは正の整数である。例えば、Ｋは２、４、８、１６、３２、６４であってもよく、Ｇは２、４であってもよい。
【００２８】
本開示の実施例によれば、選択ユニット１１０が選択するＧ個の送信ビームグループのそれぞれは、Ｎ個の送信ビームを含むことができ、そして、ユーザ機器１００は、ネットワーク側機器がＮ個の送信ビームを用いて送信したダウンリンク情報を同時に受信することができる。つまり、ネットワーク側機器が１つの送信ビームグループにおけるＮ個の送信ビームを用いて同時にユーザ機器１００にダウンリンク情報を送信する場合に、ユーザ機器は、これらの同時に送信されたダウンリンク情報を受信することができる。ここで、Ｎは１以上の整数であってもよく、即ち、各送信ビームグループは１つ又は複数の送信ビームを含むことができる。
【００２９】
本開示の実施例によれば、ネットワーク側機器はユーザ機器１００にＧとＮの値を配置することができる。例えば、ネットワーク側機器は、ＲＲＣシグナリングを含むがそれに限定されない高層シグナリングにより、ユーザ機器１００にＧ及び／又はＮの値を配置することができ、且つ、ＤＣＩ情報を含むがそれに限定されない低層シグナリングにより、ユーザ機器１００に配置されたＧ及び／又はＮの値を動的に変更することができる。
【００３０】
本開示の実施例によれば、配置ユニット１２０は、選択されたＧ個の送信ビームグループに関する情報を配置することができる。
【００３１】
本開示の実施例によれば、通信ユニット１３０は、選択されたＧ個の送信ビームグループに関する情報をネットワーク側機器に送信することができる。
【００３２】
上記から分かるように、本開示の実施例によれば、ユーザ機器１００は、ネットワーク側機器の送信ビームから複数の送信ビームグループを選択し、複数の送信ビームグループに関する情報をネットワーク側機器に送信することができ、これにより、複数の送信ビームグループを一回で報告でき、これにより、シグナリングオーバーヘッドを低減し、ビームフォーミング技術を利用するシステムのビーム選択プロセスを改善する。
【００３３】
本開示の実施例によれば、選択ユニット１１０は、ネットワーク側機器のＣ個の送信ビーム集合に基づいてＧ個の送信ビームグループを選択し、各送信ビームグループがＮ個の送信ビーム集合のそれぞれからのＮ個の送信ビームを含むようにすることができ、なお、ＣはＮ以上の整数である。
【００３４】
ここで、ユーザ機器１００は、ネットワーク側機器のＣ個の送信ビーム集合におけるＫ個の送信ビームに関する情報を事前に知ることができ、例えば、高層シグナリングにより予めネットワーク側機器からこれらのＣ個の送信ビーム集合におけるＫ個の送信ビームの情報を取得してもよく、各送信ビームの所在する送信ビーム集合の識別情報、及び当該送信ビームの前記送信ビーム集合における識別情報を含むがそれに限定されない。次に、選択ユニット１１０は、Ｃ個の送信ビーム集合におけるＫ個の送信ビームからＧ個の送信ビームグループを選択することができる。
【００３５】
図２は、本開示の実施例によるユーザ機器が送信ビームグループを選択する模式図を示す。
【００３６】
図２において、ｇＮＢはネットワーク側機器とし、ＵＥはユーザ機器１００としてもよい。図２に示すように、ｇＮＢは４つの送信ビーム集合を有し、つまり、Ｃ＝４であり、各送信ビーム集合は８つの送信ビームを有し、ｇＮＢは、合計３２の送信ビームを有し、つまり、Ｋ＝３２である。ここで、Ｎ＝２と仮定し、つまり、ＵＥによって選択されたＧ個の送信ビームグループのそれぞれは２つの送信ビームを含む。図２に示すように、ＵＥは、送信ビーム集合２における送信ビーム５と、送信ビーム集合３における送信ビーム４を選択した。上記から分かるように、ＵＥによって選択された２つの送信ビームは異なる送信ビーム集合からのものである。図２に、ＵＥによって選択された１つの送信ビームグループのみを示したが、ＵＥは、このようにＧ個の送信ビームグループのそれぞれを選択し、各送信ビームグループが２つの送信ビーム集合のそれぞれからの２つの送信ビームを含むようにすることができる。
【００３７】
図２において、Ｃ＝４、Ｋ＝３２、且つ、Ｎ＝２の場合、送信ビーム、送信ビーム集合及び送信ビームグループを説明する。もちろん、本開示は、これらの特定の値に限定されない。また、図２に、４つの送信ビーム集合のそれぞれは８つの送信ビームを有するが、本開示は、それに限定されない。つまり、異なる送信ビーム集合は、異なる数の送信ビームを有し得る。
【００３８】
本開示の実施例によれば、ネットワーク側機器のＣ個の送信ビーム集合のそれぞれはネットワーク側機器の１つ又は複数のアンテナ板によって放射される全ての送信ビームを含んでもよい。つまり、Ｃはネットワーク側機器のアンテナ板の数以下である。
【００３９】
本開示の実施例によれば、ネットワーク側機器の１つの送信ビーム集合はネットワーク側機器の１つのアンテナ板に対応してもよいし、ネットワーク側機器の複数のアンテナ板に対応してもよい。ネットワーク側機器の各送信ビーム集合がいずれもネットワーク側機器の１つのアンテナ板に対応する場合に、Ｃはネットワーク側機器のアンテナ板の数となる。図２に示す例を例として、ｇＮＢは、４つのアンテナ板を有してもよく、送信ビーム集合１、送信ビーム集合２、送信ビーム集合３及び送信ビーム集合４は、それぞれ、４つのアンテナ板の１つに対応する。例えば、送信ビーム集合１における８つの送信ビームは、第１のアンテナ板が放射できる８つの送信ビームであり、送信ビーム集合２における８つの送信ビームは第２のアンテナ板が放射できる８つの送信ビームであり、送信ビーム集合３における８つの送信ビームは第３のアンテナ板が放射できる８つの送信ビームであり、送信ビーム集合４における８つの送信ビームは第４のアンテナ板が放射できる８つの送信ビームである。さらに、複数のアンテナ板に対応する送信ビーム集合が存在してもよい。この場合、Ｃはネットワーク側機器のアンテナ板の数よりも小さい。また、図２に示す例を例として、ｇＮＢは５つのアンテナ板を有してもよく、送信ビーム集合１は第１のアンテナ板に対応し、送信ビーム集合２は第２のアンテナ板に対応し、送信ビーム集合３は第３のアンテナ板に対応し、送信ビーム集合４は第４のアンテナ板及び第５つのアンテナ板に対応してもよい。つまり、送信ビーム集合４における８つの送信ビームは第４のアンテナ板が放射できる全ての送信ビームと第５のアンテナ板が放射できる全ての送信ビームの集合である。
【００４０】
図３は、本開示の実施例によるネットワーク側機器の複数のアンテナ板の模式図を示す。図３に、ｇＮＢの２つのアンテナ板を示し、各アンテナ板上の十字マークは１つの送信ビームを示す。図３に示すように、アンテナ板１は８つの送信ビームを有し、アンテナ板２も８つの送信ビームを有する。
【００４１】
図３に示すように、ネットワーク側機器は１つ又は複数のアンテナ板を有してもよく、各アンテナ板は複数の送信ビームを有し得る。同一時点で、各アンテナ板はダウンリンク情報の送信に１つの送信ビームしか使用できない。つまり、同一時点で、異なるアンテナ板は、それぞれの１つの送信ビームを用いてダウンリンク情報を送信できる。本開示の実施例によれば、選択ユニット１１０によって選択された各送信ビームグループに含まれるＮ個の送信ビームはそれぞれＮ個の送信ビーム集合からのものであり、各送信ビーム集合は１つ又は複数のアンテナ板上の全ての送信ビームを含む。上記から分かるように、各送信ビームグループに含まれるＮ個の送信ビームはそれぞれＮ個のアンテナ板からのものであり、これらのＮ個のアンテナ板はネットワーク側機器の全てのアンテナ板であってもよく、ネットワーク側機器の一部のアンテナ板であってもよい。こうして、ネットワーク側機器は、同一の送信ビームグループにおけるＮ個の送信ビームを用いてダウンリンク情報を同時に送信することができ、ユーザ機器はこのような情報を同時に受信することができ、これにより、ビームフォーミング技術を利用するビーム選択プロセスを改善でき、ダウンリンク情報の送信効率を向上させる。
【００４２】
以下、選択ユニット１１０が如何にネットワーク側機器のＣ個の送信ビーム集合におけるＫ個の送信ビームからＧ個の送信ビームグループを選択するかについて詳述し、各送信ビームグループはＮ個の送信ビームを含む。
【００４３】
図１に示すように、ユーザ機器１００は、ネットワーク側機器とユーザ機器１００との間のチャネル品質を検出するための検出ユニット１４０を含むこともできる。具体的に、検出ユニット１４０は、ネットワーク側機器のいずれかの送信ビームとユーザ機器１００との間のチャネル品質を検出することができる。本開示において、様々なパラメータを用いてチャネル品質を示してもよく、ＲＳＲＰ（Ｒｅｆｅｒｅｎｃｅ  Ｓｉｇｎａｌ  Ｒｅｃｅｉｖｉｎｇ  Ｐｏｗｅｒ、参照信号受信電力）、ＲＳＲＱ（Ｒｅｆｅｒｅｎｃｅ  Ｓｉｇｎａｌ  Ｒｅｃｅｉｖｉｎｇ  Ｑｕａｌｉｔｙ、参照信号受信品質）及びＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ、信号対干渉ノイズ比）などを含むがそれに限定されない。
【００４４】
本開示の実施例によれば、検出ユニット１４０は、ネットワーク側機器のＫ個の送信ビームのそれぞれとユーザ機器１００との間のチャネル品質を検出することができ、そして、選択ユニット１１０は、ネットワーク側機器のＫ個の送信ビームとユーザ機器１００との間のチャネル品質に基づいてＧ個の送信ビームグループを選択することができる。
【００４５】
本開示の実施例によれば、チャネル品質の瞬間値でチャネル品質を示してもよいし、所定期間内の平均値でチャネル品質を示してもよい。例えば、１つのタイムウィンドウを定義し、タイムウィンドウの時間長さは所定の期間である。いずれかの送信ビームについて、検出ユニット１４０は、タイムウィンドウ内の当該送信ビームとユーザ機器１００との間のチャネル品質の平均値を検出し、当該平均値で当該送信ビームとユーザ機器１００との間のチャネル品質を示すことができる。所定の期間、即ち、タイムウィンドウ内に、ユーザ機器１００は同一の送信ビームに対して一回又は複数回の走査を行う可能性があり、したがって、当該送信ビームとユーザ機器１００との間のチャネル品質とを一回又は複数回検出することができる。したがって、本開示の実施例によれば、いずれかの送信ビームに対して、チャネル品質の平均値は当該送信ビームのチャネル品質を一回又は複数回検出した平均値を示す。
【００４６】
図４は、本開示の実施例によるタイムウィンドウに基づいてチャネルの品質を算出する模式図を示す。図４において、タイムウィンドウの長さ、即ち、所定の期間の長さはτであり、ｔは時間軸における１つの時間であり、当該時間は、検出ユニット１４０が定義したタイムウィンドウの開始時間であってもよい。タイムウィンドウにおける番号が４であるビームは図２に示された送信ビーム集合３における送信ビーム４を示し、番号が５であるビームは図２に示された送信ビーム集合２における送信ビーム５を示し、番号が５’であるビームは、タイムウィンドウ内に再び図２に示された送信ビーム集合２における送信ビーム５を走査しチャネル検出を行うことを示す。つまり、番号が５であるビーム及び番号が５’であるビームは同一の送信ビームに対して行う二回の走査であり、区別の便宜上、異なる番号を使用する。本開示の実施例によれば、図４に示すタイムウィンドウ内に送信ビーム集合３の送信ビーム４を一回走査したので、今回測定した結果を直接に送信ビーム集合３の送信ビーム４のチャネル検出結果とし、図４に示すタイムウィンドウ内に送信ビーム集合２の送信ビーム５を２回走査したので、２回測定した結果の平均値を送信ビーム集合２の送信ビーム５のチャネル検出結果とする。なお、説明の便宜上、図４に２つのビームの場合のみを示した。実際に、検出ユニット１４０は、類似する方法に従ってＫ個の送信ビームのそれぞれのチャネル品質を決定することができる。
【００４７】
本開示の実施例によれば、選択ユニット１１０は、ネットワーク側機器のＣ個の送信ビーム集合に基づいて全ての送信ビームグループを決定し、各送信ビームグループに含まれるＮ個の送信ビームとユーザ機器１００との間のチャネル品質に基づいて各送信ビームグループの平均チャネル品質を決定し、各送信ビームグループの平均チャネル品質に基づいてＧ個の送信ビームグループを選択することができる。
【００４８】
以上のように、選択ユニット１１０は、ネットワーク側機器のＣ個の送信ビーム集合に基づいてＧ個の送信ビームグループを選択し、各送信ビームグループがＮ個の送信ビーム集合のそれぞれからのＮ個の送信ビームを含むようにすることができる。本開示の実施例によれば、選択ユニット１１０は、Ｃ個の送信ビーム集合に基づいて全ての可能な送信ビームグループを決定することができ、各可能な送信ビームグループは、Ｎ個の送信ビーム集合のそれぞれからのＮ個の送信ビームを含む。つまり、選択ユニット１１０は、当該送信ビームグループがＮ個の送信ビーム集合のそれぞれからのＮ個の送信ビームを含むという条件を満たす全ての送信ビームグループを列挙することができる。
【００４９】
本開示の実施例によれば、選択ユニット１１０は、決定された各可能な送信ビームグループに含まれるＮ個の送信ビームとユーザ機器１００との間のチャネル品質に基づいて各送信ビームグループの平均チャネル品質を決定することもできる。例えば、選択ユニットは、Ｎ個の送信ビームとユーザ機器１００との間のチャネル品質の算術平均値を当該送信ビームグループの平均チャネル品質としてもよい。もちろん、他の平均値を算出する方法を利用することもでき、本開示では、それを限定しない。
【００５０】
本開示の実施例によれば、選択ユニット１１０は、各送信ビームグループの平均チャネル品質に基づいてＧ個の送信ビームグループを選択することができる。例えば、選択ユニット１１０は全ての可能な送信ビームグループから平均チャネル品質が最も良い前のＧ個の送信ビームグループを最終のＧ個の送信ビームグループとして選択してもよい。
【００５１】
以下、Ｃ＝２、Ｋ＝８、Ｎ＝２、Ｇ＝４を例として、チャネル品質に基づいて送信ビームグループを選択することについて説明する。表１はＫ個の送信ビームのそれぞれのチャネル品質の値を示す。表１において、各送信ビーム集合は４つの送信ビームを含むので、送信ビーム集合番号は［１，２］から選択され、送信ビーム番号は［１，２，３，４］から選択される。また、表１に、ＲＳＲＱを例としてチャネル品質を示し、ＲＳＲＱの値に従って８つの送信ビームをソートする。
【００５２】
【表１】
2021532657.tif 000003
【００５３】
本開示の実施例によれば、選択ユニット１１０は、全ての可能な送信ビームグループを決定することができる。例えば、Ｃ＝２、Ｋ＝８、Ｎ＝２、且つ各送信ビームグループが４つの送信ビームを含む場合に、１６の可能な送信ビームグループを決定することができ、表２に示すようである。
【００５４】
【表２】
2021532657.tif 000004
【００５５】
表２の送信ビームの欄では、セミコロンをセパレータとして、各送信ビームに含まれる２つの送信ビームを示している。各送信ビームでは、コンマをセパレータとして、当該送信ビームの送信ビーム集合の番号と、当該送信ビームの送信ビーム集合における番号を示す。例えば、番号が１である送信ビームグループについて、２つの送信ビームを含み、１つの送信ビームの送信ビーム集合番号は１であり、送信ビーム番号は１であり、もう１つ送信ビームの送信ビーム集合番号は２であり、送信ビーム番号は１である。つまり、番号が１である送信ビームグループは、送信ビーム集合１における送信ビーム１と送信ビーム集合２における送信ビーム１とを含む。
【００５６】
次に、選択ユニット１１０は表２における１６個の送信ビームグループのそれぞれの平均チャネル品質を決定することができる。例えば、送信ビーム集合１における送信ビーム１のチャネル品質と、送信ビーム集合２における送信ビーム１のチャネル品質の平均値によって、番号が１である送信ビームグループの平均チャネル品質を決定してもよい。
【００５７】
次に、選択ユニット１１０は、１６個の送信ビームグループから平均チャネル品質が最も良い前の４つの送信ビームグループを最終の４つの送信ビームグループとして選択してもよい。表３は選択の４つの送信ビームグループの平均チャネル品質を示す。
【００５８】
【表３】
2021532657.tif 000005
【００５９】
上記の例において、選択ユニット１１０はＲＳＲＱの値に基づいてＧ個の送信ビームグループを選択することができる。つまり、選択ユニット１１０は、チャネル品質を示す１つのパラメータのみに基づいてＧ個の送信ビームグループを選択する。本開示の実施例によれば、選択ユニット１１０は、チャネル品質を示す複数のパラメータに基づいてＧ個の送信ビームグループを選択することもできる。
【００６０】
本開示の実施例によれば、選択ユニット１１０は、第１のパラメータで示されるチャネル品質が所定の条件を満たす複数の送信ビームから全ての可能な送信ビームグループを決定し、各可能な送信ビームグループの平均チャネル品質を決定することができ、ここで、平均チャネル品質はチャネル品質を示す第２のパラメータで示される。次に、選択ユニット１１０は、平均チャネル品質が最も良い前のＧ個の送信ビームグループを選択してもよい。本開示の実施例によれば、第１のパラメータと第２のパラメータとは異なってもよく、且つＲＳＲＰ、ＲＳＲＱ、ＳＩＮＲなどであってもよい。
【００６１】
つまり、選択ユニット１１０は、第１のパラメータに基づいて一回目のスクリーニングを行い、第２のパラメータに基づいて２回目のスクリーニングを行うことができる。例えば、選択ユニット１１０は、Ｋ個の送信ビームから第１のパラメータ（例えばＲＳＲＰ）が所定の閾値条件を満たす複数の送信ビームを選択し、これらの複数の送信ビームから、全ての可能な送信ビームグループを決定し、さらに、第２のパラメータ（例えば平均ＲＳＲＱ）が最も良い前のＧ個の送信ビームグループを選択してもよい。
【００６２】
本開示の実施例によれば、ユーザ機器１００は１つ又は複数の表示チャネル品質のパラメータに基づいて、報告が必要な送信ビームグループを決定することにより、選択の送信ビームグループのチャネル品質を良くすることができる。
【００６３】
本開示の実施例によれば、選択ユニット１１０がＧ個の送信ビームグループを選択した後に、配置ユニット１２０は、選択のＧ個の送信ビームグループに関する情報を配置し、通信ユニット１３０により選択のＧ個の送信ビームグループに関する情報をネットワーク側機器に報告することができる
【００６４】
本開示の実施例によれば、配置ユニット１２０は、選択のＧ個の送信ビームグループに関する情報を配置し、それがＧ個の送信ビームグループのそれぞれに含まれるＮ個の送信ビームの識別情報を含むようにすることができる。なお、各送信ビームの識別情報は、送信ビームの所在する送信ビーム集合の識別情報と送信ビームの送信ビーム集合における識別情報とを含んでもよい。
【００６５】
表４は、選択されたＧ個の送信ビームグループに関する情報の一例を示す。表４において、Ｇ＝４、且つＮ＝２である。表４に示すように、選択のＧ個の送信ビームグループに関する情報は、４つの送信ビームグループのそれぞれに含まれる２つの送信ビームの識別情報を含み、各送信ビームの識別情報は、また、送信ビーム集合の識別情報と送信ビームの送信ビーム集合における識別情報を含む。
【００６６】
【表４】
2021532657.tif 000006
【００６７】
本開示の実施例によれば、配置ユニット１２０は、選択のＧ個の送信ビームグループに関する情報を配置し、それがＧ個の送信ビームグループの全ての送信ビームグループのチャネル品質情報を含むようにすることもできる。また、各送信ビームグループのチャネル品質情報は、送信ビームグループに含まれるＮ個の送信ビームのそれぞれのチャネル品質、又は、送信ビームグループの平均チャネル品質を含む。表５と表６とは、それぞれ、この２つの場合における選択のＧ個の送信ビームグループに関する情報を示す。表５と表６で、Ｇ＝４、且つＮ＝２である。また、ＲＳＲＱでチャネル品質を示す。
【００６８】
【表５】
2021532657.tif 000007
【００６９】
表５に示すように、選択のＧ個の送信ビームグループに関する情報は、４つの送信ビームグループのそれぞれに含まれる２つの送信ビームの識別情報に加えて、各送信ビームグループの平均チャネル品質をさらに含む。
【００７０】
【表６】
2021532657.tif 000008
【００７１】
表６に示すように、選択のＧ個の送信ビームグループに関する情報は、４つの送信ビーム組のそれぞれに含まれる２つの送信ビームの識別情報に加えて、各送信ビームグループに含まれる２つの送信ビームのそれぞれのチャネル品質をさらに含む。
【００７２】
本開示の実施例によれば、配置ユニット１２０は、さらに、選択のＧ個の送信ビームグループに関する情報を配置して、それがＧ個の送信ビームグループの一部の送信ビームグループのチャネル品質情報を含むようにすることができる。例えば、一部の送信ビームグループはＧ個の送信ビームグループのうち平均チャネル品質が最も良い送信ビームグループ、及び平均チャネル品質が最も悪い送信ビームグループを含んでもよい。
【００７３】
同様に、一部の送信ビームグループのそれぞれのチャネル品質情報は、送信ビームグループに含まれるＮ個の送信ビームのそれぞれのチャネル品質、又は、送信ビームグループの平均チャネル品質を含んでもよい。表７と表８とは、それぞれ、この２つの場合における選択のＧ個の送信ビームグループに関する情報を示す。表７と表８で、Ｇ＝４、且つＮ＝２である。また、ＲＳＲＱでチャネル品質を示す。
【００７４】
【表７】
2021532657.tif 000009
【００７５】
表７に示すように、選択のＧ個の送信ビームグループに関する情報は、４つの送信ビームグループのそれぞれに含まれる２つの送信ビームの識別情報に加えて、４つの送信ビームグループのうち平均チャネル品質が最も良い送信ビームグループの平均チャネル品質、及び４つの送信ビームグループのうち平均チャネル品質が最も悪い送信ビームグループの平均チャネル品質をさらに含む。
【００７６】
【表８】
2021532657.tif 000010
【００７７】
表８に示すように、選択のＧ個の送信ビームグループに関する情報は、４つの送信ビームグループのそれぞれに含まれる２つの送信ビームの識別情報に加えて、４つの送信ビームグループのうち平均チャネル品質が最も良い送信ビームグループのそれぞれのチャネル品質、及び４つの送信ビームグループのうち平均チャネル品質が最も悪い送信ビームグループのそれぞれのチャネル品質をさらに含む。
【００７８】
以上のように、表４〜表８は、選択のＧ個の送信ビームグループに関する情報の５つの実施例を示した。本開示の実施例によれば、ユーザ機器１００は、さらに、ネットワーク側機器から、これらの５つの報告方式に関する情報を受信することができる。つまり、ネットワーク側機器はユーザ機器１００に具体的な報告方式を配置することができる。さらに、ユーザ機器１００は、ネットワーク側機器に所望する報告方式を報告することもでき、これにより、ネットワーク側機器は、ユーザ機器１００の報告に基づいて報告方式をさらに配置することができる。また、ユーザ機器１００とネットワーク側機器との間は、デフォルトの報告方式を合意することもでき、ユーザ機器１００が、ネットワーク側機器から配置の報告方式を受信しなかった場合に、デフォルトの報告方式を採用して報告することができる。
【００７９】
以上のように、選択のＧ個の送信ビームグループに関する情報は、Ｇ個の送信ビームグループのそれぞれに含まれるＮ個の送信ビームの識別情報を含んでもよいし、Ｇ個の送信ビームグループの全て又は一部の送信ビームグループのチャネル品質情報を含んでもよい。ネットワーク側機器は、実際の場合に基づいてユーザ機器に報告方式を配置することができ、シグナリングオーバーヘッドを節約することに加えて、各送信ビームのチャネル品質を明確に示す。
【００８０】
本開示の実施例によれば、選択のＧ個の送信ビームグループに関する情報はＧ個の送信ビームグループの順序情報をさらに含んでもよい。ここで、順序情報は、Ｇ個の送信ビームグループの平均チャネル品質に基づいて決定された順序情報であってもよい。つまり、ユーザ機器１００が選択のＧ個の送信ビームグループに関する情報をネットワーク側機器に報告する場合に、平均チャネル品質が良い順に報告することができる。つまり、表４表８に示す例において、表に記載された送信ビームに関する順序は報告の順序であってもよい。
【００８１】
また、本開示の実施例によれば、ＣＳＩ-ＲＳ（Ｃｈａｎｎｅｌ  Ｓｔａｔｅ  Ｉｎｆｏｒｍａｔｉｏｎ-Ｒｅｆｅｒｅｎｃｅ  Ｓｉｇｎａｌ、チャネル状態情報参照信号）リソースの識別子、又は、ＳＳＢ（Ｓｙｎｃｈｒｏｎｉｚａｔｉｏｎ  Ｓｉｇｎａｌ  Ｂｌｏｃｋ、同期信号ブロック）リソースの識別子で送信ビームの識別子を示すことができる。これは、異なる送信ビームに対して、異なるリソースを用いてＣＳＩ-ＲＳを送信するからである。つまり、送信ビームとＣＳＩ-ＲＳリソースとは１対１で対応し、したがって、ＣＳＩ-ＲＳリソースの識別子を用いて送信ビームの識別子を示すことができる。ＣＳＩ-ＲＳの送信と類似して、異なるＳＳＢを送信するためのビームについて、異なるリソースを用いてＳＳＢを送信する。つまり、送信ビームとＳＳＢリソースとは１対１で対応し、したがって、ＳＳＢリソースの識別子を用いて送信ビームの識別子を示すことができる。同様に、ＣＳＩ-ＲＳリソース集合の識別子、又は、ＳＳＢリソース集合の識別子を用いて送信ビーム集合の識別子を示すことができる。
【００８２】
さらに、本開示の実施例によれば、チャネル品質を報告する場合、チャネル品質の絶対値であってもよいし、チャネル品質の相対値であってもよい。例えば、ユーザ機器１００は１つの送信ビーム（参照送信ビーム）のチャネル品質の絶対値、又は、１つの送信ビームグループ（参照送信ビームグループ）の平均チャネル品質の絶対値のみを報告してもよく、他の送信ビームのチャネル品質、又は、他の送信ビームグループの平均チャネル品質について、参照送信ビームに対する相対値又は参照送信ビームグループに対する相対値のみを報告してもよい。こうして、シグナリングオーバーヘッドをさらに節約することができる。
【００８３】
以上のように、配置ユニット１２０は、選択のＧ個の送信ビームグループに関する情報を配置することができる。その後、通信ユニット１３０により、選択のＧ個の送信ビームグループに関する情報をネットワーク側機器に送信することができる。
【００８４】
本開示の実施例によれば、ユーザ機器１００は、１つのＣＳＩ（Ｃｈａｎｎｅｌ  Ｓｔａｔｅ  Ｉｎｆｏｒｍａｔｉｏｎ、チャネル状態情報）レポートによって、前記選択のＧ個の送信ビームグループに関する情報を搬送することができる。つまり、ユーザ機器１００は、選択のＧ個の送信ビームグループに関する情報を一回で（即ち、同時に）報告することができる。
【００８５】
表９は、１つのＣＳＩレポートの実施例を示す。表９で、Ｎ＝２、且つＧ＝２と仮定する。
【００８６】
【表９】
2021532657.tif 000011
【００８７】
表９に示すように、ｎはＣＳＩレポートの番号を示す。ＣＳＩレポートのコンテンツは、２つの送信ビームグループにおける４つの送信ビームの識別情報を含んでもよい。なお、ＣＳＩ-ＲＳリソース集合識別子又はＳＳＢリソース集合識別子#１、ＣＳＩ-ＲＳリソース識別子又はＳＳＢリソース識別子#１で示される送信ビーム及びＣＳＩ-ＲＳリソース集合識別子又はＳＳＢリソース集合識別子#２、ＣＳＩ-ＲＳリソース識別子又はＳＳＢリソース識別子#２で示される送信ビームは１つの送信ビームグループであり、ＣＳＩ-ＲＳリソース集合識別子又はＳＳＢリソース集合識別子#３、ＣＳＩ-ＲＳリソース識別子又はＳＳＢリソース識別子#３で示される送信ビーム及びＣＳＩ-ＲＳリソース集合識別子又はＳＳＢリソース集合識別子#４、ＣＳＩ-ＲＳリソース識別子又はＳＳＢリソース識別子#４で示される送信ビームはもう１つの送信ビームグループである。また、必要な場合に、ＣＳＩレポートのコンテンツは４つの送信ビームの全て又は一部の送信ビームのチャネル品質情報をさらに含んでもよい。
【００８８】
本開示の実施例によれば、送信ビームグループの番号を報告しなくてもよい。これは、ＣＳＩレポートにおいて、順序に従ってＧ個の送信ビームグループに含まれる全ての送信ビームの識別情報を報告するからである。つまり、表９に示す例において、前の２つの送信ビームは１つの送信ビームグループであり、後の２つの送信ビームはもう１つの送信ビームグループである。さらに、ネットワーク側機器はＧ及びＮの値を配置することができ、即ち、ネットワーク側機器はＧ及びＮの値を知っているので、ＣＳＩレポートのコンテンツに基づいて各送信ビームグループに含まれる送信ビームを決定することができる。こうして、ＣＳＩレポートのオーバーヘッドをさらに節約することができる。また、表９に、送信ビームグループに含まれる送信ビームのチャネル品質情報の例のみを示した。以上のように、ＣＳＩレポートは送信ビームグループの平均チャネル品質情報を含んでもよい。
【００８９】
本開示の実施例によれば、ユーザ機器１００は、選択のＧ個の送信ビームグループに関する情報をネットワーク側機器を報告した後に、通信ユニット１３０によりネットワーク側機器から制御情報を受信することができる。
【００９０】
図１に示すように、本開示の実施例によれば、ユーザ機器１００は、受信した制御情報に基づいて、ネットワーク側機器によって選択された、ダウンリンク情報を送信するための送信ビームグループ、又は、送信ビームを決定するための決定ユニット１５０をさらに含むことができる。
【００９１】
本開示の実施例によれば、ユーザ機器１００はＧ個の送信ビームグループに関する情報を報告した後に、ネットワーク側機器は、Ｇ個の送信ビームグループから１つの送信ビームグループを選択でき、これにより、当該送信ビームグループにおける複数の送信ビームを用いてダウンリンク情報を同時に送信することができる。さらに、ネットワーク側機器は、さらに、Ｇ個の送信ビームグループから、１つの送信ビームグループにおける１つの送信ビームを選択することもでき、これにより、当該送信ビームのみを用いてダウンリンク情報を送信する。
【００９２】
本開示の実施例によれば、ネットワーク側機器が１つの送信ビーム又は１つの送信ビームグループを用いて送信できるダウンリンク情報は、ダウンリンク制御情報とダウンリンクデータ情報とを含んでもよい。以下、ダウンリンク制御情報とダウンリンクデータ情報との２つの場合について説明する。
【００９３】
本開示の実施例によれば、通信ユニット１３０は、ＤＣＩ（Ｄｏｗｎｌｉｎｋ  Ｃｏｎｔｒｏｌ  Ｉｎｆｏｒｍａｔｉｏｎ、ダウンリンク制御情報）によって、制御情報を受信することができ、そして、決定ユニット１５０は、ＤＣＩから、ネットワーク側機器によって選択されたダウンリンクデータ情報を送信するための送信ビームグループ又は送信ビームを復調することができる。つまり、決定ユニット１５０は、ＤＣＩに基づいて、ＰＤＳＣＨチャネルを搬送する送信ビームグループ又は送信ビームを決定することができる。
【００９４】
本開示の実施例によれば、通信ユニット１３０は、ＭＡＣ  ＣＥ（Ｃｏｎｔｒｏｌ  Ｅｌｅｍｅｎｔ、制御ユニット）を含むがそれに限定されないＭＡＣ（ｍｅｄｉｕｍ  ａｃｃｅｓｓ  ｃｏｎｔｒｏｌ、メディアアクセス制御）層シグナリングによって、制御情報を受信することができ、そして、決定ユニット１５０は、ＭＡＣ  ＣＥから、ネットワーク側機器によって選択された、ダウンリンク制御情報を送信するための送信ビームグループ又は送信ビームを復調することができる。つまり、決定ユニット１５０は、ＭＡＣ  ＣＥに基づいて、ＰＤＣＣＨチャネルを搬送する送信ビームグループ又は送信ビームを決定することができる。
【００９５】
以下、ネットワーク側機器が送信ビームを選択する場合と、ネットワーク側機器が送信ビームグループを選択する場合について、さらに説明する。
【００９６】
ネットワーク側機器が送信ビームグループを選択する場合に、決定ユニット１５０は、ＤＣＩから、ダウンリンクデータ情報を送信するための送信ビームグループの識別子（即ち、番号）を復調することができる。なお、決定ユニット１５０は、ＭＡＣ  ＣＥからダウンリンク制御情報を送信するための送信ビームグループの識別子（即ち、番号）を復調することができる。つまり、ＤＣＩに、ダウンリンクデータ情報を送信するための送信ビームグループの番号を携帯し、ＭＡＣ  ＣＥに、ダウンリンク制御情報を送信するための送信ビームグループの番号を携帯する。
【００９７】
以上のように、Ｇ個の送信ビームグループに関する情報は送信ビームグループの番号情報を含まなくてもよく、決定ユニット１５０が、送信ビームグループの番号を復調した場合に、報告されたＧ個の送信ビームグループの順序に従ってネットワーク側機器がどの送信ビームグループを選択したかを決定することができる。例えば、表９に示す例において、決定ユニット１５０は、送信ビームグループの番号が１であると復調した場合に、ネットワーク側機器が、ＣＳＩ-ＲＳリソース集合識別子又はＳＳＢリソース集合識別子#１、ＣＳＩ-ＲＳリソース識別子又はＳＳＢリソース識別子#１、及びＣＳＩ-ＲＳリソース集合識別子又はＳＳＢリソース集合識別子#２、ＣＳＩ-ＲＳリソース識別子又はＳＳＢリソース識別子#２を含む送信ビームのグループを選択したと決定でき、決定ユニット１５０は、送信ビームグループの番号が２であると復調した場合に、ネットワーク側機器が、ＣＳＩ-ＲＳリソース集合識別子又はＳＳＢリソース集合識別子#３、ＣＳＩ-ＲＳリソース識別子又はＳＳＢリソース識別子#３、及びＣＳＩ-ＲＳリソース集合識別子又はＳＳＢリソース集合識別子#４、ＣＳＩ-ＲＳリソース識別子又はＳＳＢリソース識別子#４を含む送信ビームのグループを選択したと決定できる。
【００９８】
本開示の実施例によれば、決定ユニット１５０は、ネットワーク側機器がダウンリンク制御情報又はダウンリンクデータ情報を送信するための送信ビームグループを決定した後に、相応する受信ビームを用いて受信することができる。
【００９９】
ネットワーク側機器が送信ビームを選択した場合に、決定ユニット１５０は、ＤＣＩ又はＭＡＣ  ＣＥからＴＣＩ（Ｔｒａｎｓｍｉｓｓｉｏｎ  Ｃｏｎｆｉｇｕｒａｔｉｏｎ  Ｉｎｄｉｃａｔｉｏｎ、伝送配置インディケーション）状態情報を復調し、ＴＣＩ状態情報に基づいて、ダウンリンクデータ情報を送信するための送信ビーム又はダウンリンク制御情報を送信するための送信ビームを決定することができる。具体的に、決定ユニット１５０はＤＣＩからＴＣＩ状態情報を復調し、ＴＣＩ状態情報からダウンリンクデータ情報を送信するための送信ビームの識別情報を抽出することができ、当該送信ビームの所在する送信ビーム集合の識別子、例えばＣＳＩ-ＲＳリソース集合識別子又はＳＳＢリソース集合識別子、及び当該送信ビームの送信ビーム集合における識別子、例えばＣＳＩ-ＲＳリソース識別子又はＳＳＢリソース識別子を含む。決定ユニット１５０は、ＭＡＣ  ＣＥからＴＣＩ状態情報を復調し、ＴＣＩ状態情報から、ダウンリンク制御情報を送信するための送信ビームの識別情報を抽出することができ、当該送信ビームの所在する送信ビーム集合の識別子、例えばＣＳＩ-ＲＳリソース集合識別子又はＳＳＢリソース集合識別子、及び当該送信ビームの送信ビーム集合における識別子、例えばＣＳＩ-ＲＳリソース識別子又はＳＳＢリソース識別子を含む。
【０１００】
本開示の実施例によれば、決定ユニット１５０は、ネットワーク側機器がダウンリンク制御情報又はダウンリンクデータ情報を送信するための送信ビームを決定した後に、相応する受信ビームを利用して受信することができる。
【０１０１】
上記から分かるように、本開示の実施例によるユーザ機器１００は、ネットワーク側機器の送信ビームから複数の送信ビームグループを選択し、ネットワーク側機器に複数の送信ビームグループに関する情報を送信することにより、複数の送信ビームグループを一回で報告することができ、これにより、シグナリングオーバーヘッドを低減する。さらに、ユーザ機器１００が送信ビームを選択するプロセスにおいて、１つ又は複数のチャネル品質を示すパラメータを利用でき、これにより、選択された送信ビームグループのチャネル品質を良くする。要するに、本開示の実施例によるユーザ機器１００は、ビームフォーミング技術を利用するシステムのビーム選択プロセスを改善することができる。
【０１０２】
図５は、本開示の実施例による無線通信システムにおけるネットワーク側機器として使用する電子機器５００の構成のブロック図を示す。図５に示すように、電子機器５００は、選択ユニット５１０と、通信ユニット５２０とを含むことができる。
【０１０３】
ここで、電子機器５００における各ユニットはいずれも処理回路に含まれてもよい。なお、電子機器５００は１つの処理回路を含んでもよいし、複数の処理回路を含んでもよい。さらに、処理回路は、別々の機能ユニットを含んで各種の異なる機能及び／又は操作を実行することができる。なお、これらの機能ユニットは、物理エンティティ又は論理エンティティであってもよく、異なる呼称のユニットは同一の物理エンティティにより実現され得る。
【０１０４】
本開示の実施例によれば、通信ユニット５２０は、ユーザ機器からＧ個の送信ビームグループに関する情報を受信することができる。
【０１０５】
本開示の実施例によれば、選択ユニット５１０は、Ｇ個の送信ビームグループから、ダウンリンク情報を送信するための送信ビームグループ又は送信ビームを選択することができる。
【０１０６】
ここで、Ｇ個の送信ビームグループのそれぞれは、Ｎ個の送信ビームを含み、且つ、ユーザ機器は、電子機器５００がＮ個の送信ビームを用いて送信したダウンリンク情報を同時に受信することができ、ＮとＧとは１よりも大きい整数である。
【０１０７】
上記から分かるように、本開示の実施例による電子機器５００は、ユーザ機器が送信した複数の送信ビームグループに関する情報から適切な送信ビームグループ又は送信ビームを選択することができ、これにより、選択の送信ビームグループがより合理的となり、これにより、ビームフォーミング技術を利用するシステムのビーム選択プロセスを改善する。
【０１０８】
本開示の実施例によれば、電子機器５００はユーザ機器にＧ及びＮの値を配置することができる。例えば、ネットワーク側機器は、ＲＲＣシグナリングを含むがそれに限定されない高層シグナリングによって、ユーザ機器１００にＧ及び／又はＮの値を配置することができ、且つ、ＤＣＩ情報を含むがそれに限定されない低層シグナリングにより、ユーザ機器に配置されたＧ及び／又はＮの値を動的に変更することができる。
【０１０９】
本開示の実施例によれば、電子機器５００は、ユーザ機器にＫ個の送信ビーム及びＣ個の送信ビーム集合に関する情報を送信して、ユーザ機器がＣ個の送信ビーム集合のＫ個の送信ビームからＧ個の送信ビームグループを選択することもできる。例えば、電子機器５００は高層シグナリングによってユーザ機器にＫ個の送信ビーム及びＣ個の送信ビーム集合に関する情報を送信してもよい。
【０１１０】
図５に示すように、本開示の実施例によれば、電子機器５００は、ユーザ機器から受信したＧ個の送信ビームグループに関する情報を復調するための復調ユニット５３０をさらに含むことができる。
【０１１１】
本開示の実施例によれば、復調ユニット５３０は、Ｇ個の送信ビームグループに関する情報を復調することにより、Ｇ個の送信ビームグループのそれぞれに含まれるＮ個の送信ビームの識別情報を決定することができる。ここで、各送信ビームの識別情報は、送信ビームの所在する送信ビーム集合の識別情報、及び送信ビームの送信ビーム集合における識別情報を含んでもよい。
【０１１２】
本開示の実施例によれば、復調ユニット５３０は、さらに、Ｇ個の送信ビームグループに関する情報を復調することにより、Ｇ個の送信ビームグループの全て又は一部の送信ビームグループのチャネル品質情報を決定することができる。ここで、全て又は一部の送信ビームグループのそれぞれのチャネル品質情報は、送信ビームグループに含まれるＮ個の送信ビームのそれぞれのチャネル品質、又は、送信ビームグループの平均チャネル品質を含んでもよい。
【０１１３】
本開示の実施例によれば、復調ユニット５３０は、さらに、Ｇ個の送信ビームグループに関する情報を復調することにより、Ｇ個の送信ビームグループの順序を決定することができる。例えば、電子機器５００は、Ｇ個の送信ビームグループがＧ個の送信ビームグループの平均チャネル品質が良い順にソートされることをユーザ機器と合意することができる。
【０１１４】
本開示の実施例によれば、電子機器５００は、ユーザ機器に報告方式を配置し、即ち、ユーザ機器に、Ｇ個の送信ビームグループに関する情報がどの情報を含むかを配置することもできる。例えば、電子機器５００は、Ｇ個の送信ビームグループのそれぞれに含まれるＮ個の送信ビームの識別情報を報告する方式、Ｇ個の送信ビームグループのそれぞれに含まれるＮ個の送信ビームの識別情報及びＧ個の送信ビームグループの全ての送信ビームグループの平均チャネル品質を報告する方式、Ｇ個の送信ビームグループのそれぞれに含まれるＮ個の送信ビームの識別情報及びＧ個の送信ビームグループの全ての送信ビームグループに含まれるＮ個の送信ビームのそれぞれのチャネル品質を報告する方式、Ｇ個の送信ビームグループのそれぞれに含まれるＮ個の送信ビームの識別情報及びＧ個の送信ビームグループの一部の送信ビームグループの平均チャネル品質を報告する方式、及びＧ個の送信ビームグループのそれぞれに含まれるＮ個の送信ビームの識別情報及びＧ個の送信ビームグループの一部の送信ビームグループに含まれるＮ個の送信ビームのそれぞれのチャネル品質を報告する方式から、１つの報告方式を選択することができる。さらに、電子機器５００は、ユーザ機器から、ユーザ機器の所望する報告方式を受信し、その後、実際の場合に基づいてユーザ機器に報告方式を配置することもできる。
【０１１５】
本開示の実施例によれば、電子機器５００は、Ｇ個の送信ビームグループに関する情報を取得するために、ユーザ機器から１つのＣＳＩレポートを受信することができる。つまり、Ｇ個の送信ビームグループに関する情報は１つのＣＳＩレポートで一回に（即ち、同時に）受信される。
【０１１６】
本開示の実施例によれば、選択ユニット５１０は、復調ユニット５３０によって復調された情報に基づいて、適切な送信ビームグループ又は適切な送信ビームを選択することができる。つまり、選択ユニット５１０は、１つの送信ビームグループを選択して、送信ビームグループに含まれるＮ個の送信ビームを用いて同時にユーザ機器にダウンリンク情報を送信することができる。さらに、選択ユニット５１０は、１つの送信ビームグループにおける１つの送信ビームを選択して、当該送信ビームを用いてユーザ機器にダウンリンク情報を送信することもできる。
【０１１７】
本開示の実施例によれば、選択ユニット５１０は、平均チャネル品質が最も良い送信ビームグループを選択してもよいし、チャネル品質が最も良い送信ビームを選択してもよい。もちろん、本開示は、それに限定されず、選択ユニット５１０は、例えば、さらに、隣接セルによる送信ビームの配置情報などを考慮して適切な送信ビームグループ又は送信ビームを選択してもよい。
【０１１８】
本開示の実施例によれば、選択ユニット５１０は、適切な送信ビーム又は送信ビームグループを選択した後に、選択した送信ビーム又は送信ビームグループをユーザ機器に通知する必要がある。電子機器５００は、制御情報により、送信ビーム又は送信ビームグループに関する情報を携帯することができる。
【０１１９】
図５に示すように、本開示の実施例によれば、電子機器５００は、制御情報を配置するための配置ユニット５４０をさらに含むことができ、制御情報は、選択されたダウンリンク情報を送信するための送信ビームグループ又は送信ビームに関する情報を含む。なお、電子機器５００は、通信ユニット５２０によりユーザ機器に制御情報を送信することができる。
【０１２０】
本開示の実施例によれば、電子機器５００が１つの送信ビーム又は１つの送信ビームグループを用いて送信できるダウンリンク情報は、ダウンリンク制御情報及びダウンリンクデータ情報を含んでもよい。以下、ダウンリンク制御情報及びダウンリンクデータ情報の二つの場合について説明する。
【０１２１】
本開示の実施例によれば、配置ユニット５４０はＤＣＩを用いて制御情報を携帯することができ、当該制御情報は、選択された、ダウンリンクデータ情報を送信する送信ビームグループ又は送信ビームに関する情報を携帯する。
【０１２２】
本開示の実施例によれば、配置ユニット５４０は、ＭＡＣ  ＣＥを含むがそれに限定されないＭＡＣ層シグナリングを用いて制御情報を携帯することができ、制御情報は、選択された、ダウンリンク制御情報を送信するための送信ビームグループ又は送信ビームに関する情報を含む。
【０１２３】
以下、電子機器５００が送信ビームを選択する場合、及び電子機器５００が送信ビームグループを選択する場合についてさらに説明する。
【０１２４】
電子機器５００が送信ビームグループを選択した場合に、配置ユニット５４０は、ＤＣＩフォーマット１_１（ＤＣＩ  ｆｏｒｍａｔ  １_１）を用いて、選択されたダウンリンクデータ情報を送信する送信ビームグループに関する制御情報を携帯することができる。具体的に、制御情報は、選択された、ダウンリンク制御情報を送信するための送信ビームグループの識別子を含んでもよい。
【０１２５】
以上のように、電子機器５００が受信したＧ個の送信ビームグループに関する情報は、送信ビームグループの番号情報を含まなくてもよく、電子機器５００は、報告されたＧ個の送信ビームグループの順序に従って送信ビームグループの番号（即ち、識別子）を決定することができる。例えば、表９に示す例において、電子機器５００が、ＣＳＩ-ＲＳリソース集合識別子又はＳＳＢリソース集合識別子#１、ＣＳＩ-ＲＳリソース識別子又はＳＳＢリソース識別子#１、ＣＳＩ-ＲＳリソース集合識別子又はＳＳＢリソース集合識別子#２、ＣＳＩ-ＲＳリソース識別子又はＳＳＢリソース識別子#２、ＣＳＩ-ＲＳリソース集合識別子又はＳＳＢリソース集合識別子#３、ＣＳＩ-ＲＳリソース識別子又はＳＳＢリソース識別子#３、及びＣＳＩ-ＲＳリソース集合識別子又はＳＳＢリソース集合識別子#４、ＣＳＩ-ＲＳリソース識別子又はＳＳＢリソース識別子#４の順に受信した場合に、前の両者が１つの送信ビームグループであり、後の両者が１つの送信ビームグループであると決定することができる。したがって、電子機器５００は、前の両者からなる送信ビームグループの番号が１であると決定し、後の両者からなる送信ビームグループの番号が２であると決定することができる。したがって、電子機器５００は、番号が１である送信ビームグループを選択した場合に、番号１を制御情報に組み込み、電子機器５００は、番号が２である送信ビームグループを選択した場合に、番号２を制御情報に組み込む。
【０１２６】
本開示の実施例によれば、ＤＣＩフォーマット１_１を修正し、それにＧＢＢＩ（Ｇｒｏｕｐ  ｂａｓｅｄ  ｂｅａｍ  ｉｎｄｉｃａｔｉｏｎ、グループベースのビームインディケーション）を含ませ、当該ＧＢＢＩは、電子機器５００によって選択された、ダウンリンクデータ情報を送信するための送信ビームグループの番号を示す。例えば、２進数で送信ビームグループの番号を示してもよく、Ｇのサイズに基づいて２進数のビット数を決定してもよい。例えば、Ｇ＝４の場合、２ビットでＧＢＢＩを示してもよい。修正されたＤＣＩフォーマット１_１のコードは以下のようであり、２ビットで送信ビームグループの番号を示すことは例示的である。
【０１２７】
The  DCI  format  1_1  with  CRC  scrambled  by  C-RNTI  （TS  38.212）
-      Carrier  indicator  -  0  or  3  bits
…
Group  based  beam  indication  （GBBI）  -  beam  group  id,  2bits.
…
【０１２８】
電子機器５００が送信ビームグループを選択した場合に、配置ユニット５４０は、ＭＡＣ  ＣＥを用いて、選択された、ダウンリンク制御情報を送信する送信ビームグループに関する制御情報を携帯してもよい。具体的に、制御情報は、選択された、ダウンリンク制御情報を送信するための送信ビームグループの識別子を含んでもよい。同様に、ＭＡＣ  ＣＥを修正することで、それにＧＢＢＩ（Ｇｒｏｕｐ  ｂａｓｅｄ  ｂｅａｍ  ｉｎｄｉｃａｔｉｏｎ）に含ませ、当該ＧＢＢＩは電子機器５００によって選択された、ダウンリンク制御情報を送信するための送信ビームグループの番号を示す。
【０１２９】
電子機器５００が送信ビームを選択した場合に、配置ユニット５４０は、ＤＣＩ又はＭＡＣ  ＣＥを用いてＴＣＩ状態情報を携帯してもよく、当該ＴＣＩ状態情報は、ダウンリンクデータ情報又はダウンリンク制御情報を送信するための送信ビームを含む。具体的に、配置ユニット５４０は、ＤＣＩに含まれるＴＣＩ状態情報を配置して、ダウンリンクデータ情報を送信するための送信ビームの識別情報を携帯することができ、当該送信ビームの所在する送信ビーム集合の識別子、例えばＣＳＩ-ＲＳリソース集合識別子又はＳＳＢリソース集合識別子、及び当該送信ビームの送信ビーム集合における識別子、例えばＣＳＩ-ＲＳリソース識別子又はＳＳＢリソース識別子を含む。さらに、配置ユニット５４０は、ＭＡＣ  ＣＥに含まれるＴＣＩ状態情報を配置して、ダウンリンク制御情報を送信するための送信ビームの識別情報を携帯することができ、当該送信ビームの所在する送信ビーム集合の識別子、例えばＣＳＩ-ＲＳリソース集合識別子又はＳＳＢリソース集合識別子、及び当該送信ビームの送信ビーム集合における識別子、例えばＣＳＩ-ＲＳリソース識別子又はＳＳＢリソース識別子を含む。
【０１３０】
修正されたＴＣＩ状態情報のコードは以下のようである。なお、ＮＺＰ-ＣＳＩ-ＲＳ-Ｒｅｓｏｕｒｃｅ-ＳｅｔＩｄは送信ビームの所在する送信ビーム集合の識別子、即ち、ＣＳＩ-ＲＳリソース集合識別子を示し、ＮＺＰ-ＣＳＩ-ＲＳ-ＲｅｓｏｕｒｃｅＩｄは、当該送信ビームの送信ビーム集合における識別子、即ち、ＣＳＩ-ＲＳリソース識別子を示す。
【０１３１】
TCI-State  ::=                    SEQUENCE｛
tci-StateId                                TCI-StateId,
…
｝
QCL-Info  ::=                          SEQUENCE｛
cell                              ServCellIndex        OPTIONAL,
bwp-Id                            BWP-Id                OPTIONAL,
referenceSignal                    CHOICE｛
csi-rs                          NZP-CSI-RS-Resource-SetId  &  NZP-CSI-RS-ResourceId,
ssb                              SSB-Index,
【０１３２】
以上のように、配置ユニット５４０は、ＤＣＩ又は、ＭＡＣ  ＣＥを用いて、選択されたダウンリンク情報を送信する送信ビームグループ又は送信ビームに関する情報を携帯することにより、ユーザ機器はネットワーク側機器が使用する送信ビームグループ又は送信ビームを知ることができ、これにより適切な受信ビームを選択する。
【０１３３】
本開示の実施例によれば、電子機器５００が送信ビームグループを選択した場合に、送信ビームグループにおける複数の送信ビームが電子機器５００の異なるアンテナ板に位置するので、電子機器５００は、送信ビームグループにおける複数の送信ビームを用いて同時にユーザ機器にダウンリンク情報を送信することができ、これにより送信効率を向上させる。
【０１３４】
このように、本開示の実施例による電子機器５００は、ユーザ機器が送信する複数の送信ビームグループに関する情報から、適切な送信ビームグループ又は送信ビームを選択することができ、これにより選択された送信ビームグループはより合理的となる。また、電子機器５００は、ユーザ機器に複数の報告方式の１つを配置することもできる。なお、電子機器５００は、送信ビームグループにおける複数の送信ビームを用いて同時にユーザ機器にダウンリンク情報を送信することができ、これにより送信効率を向上させる。要するに、本開示の実施例による電子機器５００は、ビームフォーミング技術を利用するシステムのビーム選択プロセスを改善することができる。
【０１３５】
本開示の実施例による電子機器５００は、ネットワーク側機器としてもよく、即ち電子機器５００はユーザ機器１００にサービスを提供し、したがって、以上で説明したユーザ機器１００に関する全ての実施例はここで適用できる。
【０１３６】
次に、本開示の実施例による無線通信システムにおけるユーザ機器１００によって実行される無線通信方法について詳細に説明する。
【０１３７】
図６は、本開示の実施例による無線通信システムにおけるユーザ機器１００によって実行される無線通信方法のフローチャートを示す。
【０１３８】
図６に示すように、ステップＳ６１０において、ネットワーク側機器のＫ個の送信ビームから、Ｇ個の送信ビームグループを選択する。
【０１３９】
次に、ステップＳ６２０において、選択されたＧ個の送信ビームグループに関する情報をネットワーク側機器に送信する。
【０１４０】
ここで、Ｇ個の送信ビームグループのそれぞれは、Ｎ個の送信ビームを含み、且つユーザ機器は、ネットワーク側機器がＮ個の送信ビームを用いて送信したダウンリンク情報を同時に受信することができ、そして、Ｋ、Ｎ、Ｇは１よりも大きい整数である。
【０１４１】
好ましくは、Ｇ個の送信ビームグループを選択することは、ネットワーク側機器のＣ個の送信ビーム集合に基づいて、Ｇ個の送信ビームグループを選択し、各送信ビームグループがＮ個の送信ビーム集合のそれぞれからのＮ個の送信ビームを含むようにすることを含み、その中、ＣはＮ以上の整数である。
【０１４２】
好ましくは、Ｃ個の送信ビーム集合のそれぞれは、ネットワーク側機器の１つ又は複数のアンテナ板によって放射される全ての送信ビームを含む。
【０１４３】
好ましくは、Ｇ個の送信ビームグループを選択することは、ネットワーク側機器のＫ個の送信ビームとユーザ機器との間のチャネル品質に基づいて、Ｇ個の送信ビームグループを選択することをさらに含む。
【０１４４】
好ましくは、無線通信方法は、所定期間内の各送信ビームとユーザ機器との間のチャネル品質の平均値に基づいて、送信ビームとユーザ機器との間のチャネル品質を決定することをさらに含む。
【０１４５】
好ましくは、Ｇ個の送信ビームグループを選択することは、ネットワーク側機器のＣ個の送信ビーム集合に基づいて全ての送信ビームグループを決定し、各送信ビームグループに含まれるＮ個の送信ビームとユーザ機器との間のチャネル品質に基づいて、各送信ビームグループの平均チャネル品質を決定し、各送信ビームグループの平均チャネル品質に基づいて、Ｇ個の送信ビームグループを選択することを含む。
【０１４６】
好ましくは、選択されたＧ個の送信ビームグループに関する情報は、Ｇ個の送信ビームグループのそれぞれに含まれるＮ個の送信ビームの識別情報を含む。
【０１４７】
好ましくは、各送信ビームの識別情報は、送信ビームの所在する送信ビーム集合の識別情報と、送信ビームの送信ビーム集合における識別情報を含む。
【０１４８】
好ましくは、選択されたＧ個の送信ビームグループに関する情報は、Ｇ個の送信ビームグループの全て又は一部の送信ビームグループのチャネル品質情報をさらに含む。
【０１４９】
好ましくは、送信ビームグループのチャネル品質情報は、送信ビームグループに含まれるＮ個の送信ビームのそれぞれのチャネル品質、又は、送信ビームグループの平均チャネル品質を含む。
【０１５０】
好ましくは、無線通信方法は、参照信号受信電力ＲＳＲＰ、参照信号受信品質ＲＳＲＱ及び信号対干渉ノイズ比ＳＩＮＲのうちの１つ又は複数を用いてチャネル品質を示すことをさらに含む。
【０１５１】
好ましくは、無線通信方法は、ネットワーク側機器から制御情報を受信し、制御情報に基づいて、ネットワーク側機器によって選択された、ダウンリンク情報を送信するための送信ビームグループを決定することをさらに含む。
【０１５２】
好ましくは、無線通信方法は、ダウンリンク制御情報ＤＣＩによって制御情報を受信し、制御情報に基づいて、ネットワーク側機器によって選択された、ダウンリンクデータ情報を送信するための送信ビームグループを決定することをさらに含む。
【０１５３】
好ましくは、無線通信方法は、メディアアクセス制御ＭＡＣ層シグナリングによって制御情報を受信し、制御情報に基づいて、ネットワーク側機器によって選択された、ダウンリンク制御情報を送信するための送信ビームグループを決定することをさらに含む。
【０１５４】
好ましくは、無線通信方法は、１つのチャネル状態情報ＣＳＩレポートを用いて、選択されたＧ個の送信ビームグループに関する情報を搬送することをさらに含む。
【０１５５】
本開示の実施例によれば、上記の方法を実行する主体は本開示の実施例による電子機器１００であってもよいので、以上の電子機器１００に関する全ての実施例はここに適用され得る。
【０１５６】
次に、本開示の実施例による無線通信システムにおけるネットワーク側機器である電子機器５００によって実行される無線通信方法について詳細に説明する。
【０１５７】
図７は、本開示の実施例による無線通信システムにおけるネットワーク側機器である電子機器５００によって実行される無線通信方法のフローチャートを示す。
【０１５８】
図７に示すように、ステップＳ７１０において、ユーザ機器からＧ個の送信ビームグループに関する情報を受信する。
【０１５９】
次に、ステップＳ７２０において、Ｇ個の送信ビームグループから、ダウンリンク情報を送信するための送信ビームグループを選択する。
【０１６０】
ここで、Ｇ個の送信ビームグループのそれぞれは、Ｎ個の送信ビームを含み、且つユーザ機器は、ネットワーク側機器がＮ個の送信ビームを用いて送信したダウンリンク情報を同時に受信することができ、ＮとＧとは１よりも大きい整数である。
【０１６１】
好ましくは、無線通信方法は、Ｇ個の送信ビームグループに関する情報に基づいて、Ｇ個の送信ビームグループのそれぞれに含まれるＮ個の送信ビームの識別情報を決定することをさらに含む。
【０１６２】
好ましくは、各送信ビームの識別情報は、送信ビームの所在する送信ビーム集合の識別情報と送信ビームの送信ビーム集合における識別情報とを含む。
【０１６３】
好ましくは、無線通信方法は、Ｇ個の送信ビームグループに関する情報に基づいて、Ｇ個の送信ビームグループの全て又は一部の送信ビームグループのチャネル品質情報を決定することをさらに含む。
【０１６４】
好ましくは、送信ビームグループのチャネル品質情報は、送信ビームグループに含まれるＮ個の送信ビームのそれぞれのチャネル品質、又は、送信ビームグループの平均チャネル品質を含む。
【０１６５】
好ましくは、無線通信方法は、ユーザ機器に制御情報を送信することをさらに含み、制御情報は、選択された、ダウンリンク情報を送信するための送信ビームグループに関する情報を含む。
【０１６６】
好ましくは、無線通信方法は、ダウンリンク制御情報ＤＣＩによって制御情報を送信することをさらに含み、制御情報は、選択された、ダウンリンクデータ情報を送信するための送信ビームグループに関する情報を含む。
【０１６７】
好ましくは、無線通信方法は、メディアアクセス制御ＭＡＣ層シグナリングによって制御情報を送信することをさらに含み、制御情報は、選択された、ダウンリンク制御情報を送信するための送信ビームグループに関する情報を含む。
【０１６８】
好ましくは、無線通信方法は、Ｇ個の送信ビームグループに関する情報を取得するために、ユーザ機器から１つのチャネル状態情報ＣＳＩレポートを受信することをさらに含む。
【０１６９】
本開示の実施例によれば、上記の方法を実行する主体は本開示の実施例による電子機器５００であってもよいので、以上の電子機器５００に関する全ての実施例はここに適用され得る。
【０１７０】
本開示内容の技術は、各種の製品に応用できる。
【０１７１】
ネットワーク側機器は、任意のタイプのＴＲＰとして実現されてもよい。当該ＴＲＰは送信及び受信機能を有してもよく、例えば、ユーザ機器及び基地局機器から情報を受信してもよいし、ユーザ機器及び基地局機器に情報を送信してもよい。典型的例において、ＴＲＰはユーザ機器にサービスを提供し、基地局機器によって制御される。なお、ＴＲＰは、以下に記載の基地局機器と類似する構成を有してもよいし、基地局機器における情報の送信及び受信に関する構成のみを有してもよい。
【０１７２】
ネットワーク側機器は、任意のタイプの基地局機器、例えばマクロｅＮＢとスモールｅＮＢとして実現されてもよく、任意のタイプのｇＮＢ（５Ｇシステムにおける基地局）として実現されてもよい。スモールｅＮＢはマクロセルよりも小さいセルをカバーするｅＮＢ、例えばピコファラドｅＮＢ、マイクロｅＮＢ、ホーム（フェムト）ｅＮＢであってもよい。代わりに、基地局は、任意の他のタイプの基地局、例えばＮｏｄｅＢとベーストランシーバ基地局（ＢＴＳ）として実現されてもよい。基地局は、無線通信を制御するように配置される本体（基地局機器とも称する）と、本体とは別の場所に設置された１つ又は複数のリモート無線ヘッド（ＲＲＨ）とを含んでもよい。
【０１７３】
ユーザ機器は、移動端末（例えばスマートフォン、タブレットパソコンコンピュータ（ＰＣ）、ノートＰＣ、携帯型ゲーム端末、携帯型／ウオッチドッグ型移動ルータとデジタル撮像装置）又は車載端末（例えば自動車ナビゲーション装置）として実現されてもよい。ユーザ機器は、マシンツーマシン（Ｍ２Ｍ）通信を実行する端末（マシン型通信（ＭＴＣ）端末とも称する）として実現されてもよい。また、ユーザ機器は、上記ユーザ機器のそれぞれに取り付けられた無線通信モジュール（例えば単一のチップを含む集成回路モジュール）であってもよい。
【０１７４】
図８は、本開示内容の技術を応用できるｅＮＢの概略的な構成の第１の例を示すブロック図である。ｇＮＢ８００は、１つ又は複数のアンテナ８１０及び基地局機器８２０を含む。基地局機器８２０と各アンテナ８１０とはＲＦケーブルを介して互いに接続されてもよい。
【０１７５】
アンテナ８１０の各々は、１つの又は複数のアンテナ素子（例えば、マルチ入力・マルチ出力（ＭＩＭＯ）アンテナに含まれる複数のアンテナ素子）を含み、基地局機器８２０による無線信号の送受信に用いられる。ｇＮＢ８００は、図８に示したように複数のアンテナ８１０を含んでもよい。複数のアンテナ８１０は、ｇＮＢ８００が使用する複数の周波数帯域と共用してもよい。ここで、図８にはｇＮＢ８００が複数のアンテナ８１０を含む例を示したが、ｇＮＢ８００は１つのアンテナ８１０を含んでもよい。
【０１７６】
基地局機器８２０は、コントローラ８２１、メモリ８２２、ネットワークインタフェース８２３、及び無線通信インタフェース８２５を含む。
【０１７７】
コントローラ８２１は、例えばＣＰＵ又はＤＳＰであってよく、基地局機器８２０の上位層の様々な機能を操作する。例えば、コントローラ８２１は、無線通信インタフェース８２５により処理された信号におけるデータからデータパケットを生成し、生成されたパケットをネットワークインタフェース８２３を介して転送する。コントローラ８２１は、複数のベースバンドプロセッサからのデータをバンドルすることによりバンドルドパケットを生成し、生成されたバンドルドパケットを転送してもよい。また、コントローラ８２１は、無線リソース管理、無線ベアラ制御、移動性管理、流入制御、及びスケジューリングのような制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、伝送パワーデータ及びスケジューリングデータなど）を記憶する。
【０１７８】
ネットワークインタフェース８２３は、基地局機器８２０をコアネットワーク８２４に接続するための通信インタフェースである。コントローラ８２１はネットワークインタフェース８２３を介してコアネットワークノード又は他のｅＮＢと通信してもよい。この場合、ｇＮＢ８００とコアネットワークノード又は他のｅＮＢとはロジックインタフェース（例えばＳ１インタフェースとＸ２インタフェース）により互いに接続される。ネットワークインタフェース８２３は有線通信インタフェース、又は無線バックホール回線に用いられる無線通信インタフェースであってもよい。ネットワークインタフェース８２３が無線通信インタフェースであると、ネットワークインタフェース８２３は無線通信インタフェース１８２５により使用される周波数帯域よりも高い周波数帯域を無線通信に使用できる。
【０１７９】
無線通信インタフェース８２５は、任意のセルラー通信方式（例えば、ＬＴＥ（Ｌｏｎｇ  Ｔｅｒｍ  Ｅｖｏｌｕｔｉｏｎ）、ＬＴＥ−Ａｄｖａｎｃｅｄ）をサポートし、アンテナ８１０を介して、ｇＮＢ８００のセル内に位置する端末までの無線接続を提供する。無線通信インタフェース８２５は、一般的に、ベースバンド（ＢＢ）プロセッサ８２６及びＲＦ回路８２７を含むことができる。ＢＢプロセッサ８２６は、例えば、符号化／復号化、変調／復調及び多重化／逆多重化を実行でき、層（例えばＬ１、媒体アクセス制御（ＭＡＣ）、無線リンク制御（ＲＬＣ）、パケットデータ収束プロトコル（ＰＤＣＰ））のさまざまな信号処理を実行することができる。コントローラ８２１の代わりに、ＢＢプロセッサ８２６は上記ロジック機能の一部又は全部を有してもよい。ＢＢプロセッサ８２６は通信制御プログラムを記憶するメモリであってもよく、又はプログラムを実行するように配置されるプロセッサ及び関連する回路を含むモジュールであってもよい。ＢＢプロセッサ８２６の機能はプログラムの更新により変更可能である。当該モジュールは基地局機器８２０のスロットに挿入されるカードまたはブレードであってもよい。その代わりに、当該モジュールはカード又はブレードに搭載されるチップであってもよい。一方、ＲＦ回路８２７は例えばミキサ、フィルタ及びアンプを含んでもよく、アンテナ８１０を介して無線信号を送受信する。
【０１８０】
図８に示すように、無線通信インタフェース８２５は複数のＢＢプロセッサ８２６を含んでもよい。例えば、複数のＢＢプロセッサ８２６はｇＮＢ８００が使用する複数の周波数帯域と共用されてもよい。図８に示すように、無線通信インタフェース８２５は複数のＲＦ回路８２７を含んでもよい。例えば、複数のＲＦ回路８２７は複数のアンテナ素子と共用されてもよい。図８は無線通信インタフェース８２５が複数のＢＢプロセッサ８２６と複数のＲＦ回路８２７とを含む例を示したが、無線通信インタフェース８２５は１つのＢＢプロセッサ８２６又は１つのＲＦ回路８２７を含んでもよい。
【０１８１】
図９は、本開示内容の技術を応用できるｇＮＢの概略的な構成の第２の例を示すブロック図である。ｇＮＢ９３０は１つ又複数のアンテナ９４０と、基地局機器９５０と、ＲＲＨ９６０とを含む。ＲＲＨ９６０は各アンテナ９４０とＲＦケーブルを介して互いに接続されてもよい。基地局機器９５０とＲＲＨ９６０は例えば光ファイバケーブルの高速回線で互いに接続されてもよい。
【０１８２】
アンテナ９４０の各々は、１つの又は複数のアンテナ素子（例えば、ＭＩＭＯアンテナに含まれる複数のアンテナ素子）を含み、ＲＲＨ９６０による無線信号の送受信のために用いられる。図９に示すように、ｇＮＢ９３０は複数のアンテナ９４０を含んでもよい。例えば、複数のアンテナ９４０はｇＮＢ９３０が使用する複数の周波数帯域と共用されてもよい。図９はｇＮＢ９３０が複数のアンテナ１９４０を含む例を示したが、ｇＮＢ９３０は１つのアンテナ９４０を含んでもよい。
【０１８３】
基地局機器９５０は、コントローラ９５１、メモリ９５２、ネットワークインタフェース９５３、無線通信インタフェース９５５、及び接続インタフェース９５７を含む。コントローラ９５１、メモリ９５２、及びネットワークインタフェース９５３は図８を参考して記載されたコントローラ８２１、メモリ８２２、及びネットワークインタフェース８２３と同じである。
【０１８４】
無線通信インタフェース９５５は任意のセルラー通信方式（例えばＬＴＥ、ＬＴＥ−Ａｄｖａｎｃｅｄ）をサポートし、ＲＲＨ９６０とアンテナ９４０とを介してＲＲＨ９６０に対応するセクタ内に位置する端末までの無線通信を提供する。無線通信インタフェース９５５は、一般的に、例えばＢＢプロセッサ９５６を含んでもよい。ＢＢプロセッサ９５６が接続インタフェース９５７を介してＲＲＨ９６０のＲＦ回路９６４と接続される他、ＢＢプロセッサ９５６は図８を参考して記載されたＢＢプロセッサ８２６と同じである。図９に示すように、無線通信インタフェース９５５は複数のＢＢプロセッサ９５６を含んでもよい。例えば、複数のＢＢプロセッサ９５６はｇＮＢ  ９３０が使用する複数の周波数帯域と共用されてもよい。図９は無線通信インタフェース９５５が複数のＢＢプロセッサ９５６を含む例を示したが、無線通信インタフェース９５５は１つのＢＢプロセッサ９５６を含んでもよい。
【０１８５】
接続インタフェース９５７は、基地局機器９５０（無線通信インタフェース９５５）をＲＲＨ９６０に接続するためのインタフェースである。接続インタフェース９５７は基地局機器９５０（無線通信インタフェース９５５）をＲＲＨ９６０と接続する上記高速回線での通信のための通信モジュールであってもよい。
【０１８６】
ＲＲＨ９６０は、接続インタフェース９６１と無線通信インタフェース９６３とを含む。
【０１８７】
接続インタフェース９６１は、ＲＲＨ９６０（無線通信インタフェース９６３）を基地局機器９５０に接続するためのインタフェースである。接続インタフェース９６１は上記高速回線での通信のための通信モジュールであってもよい。
【０１８８】
無線通信インタフェース９６３は、アンテナ９４０を介して無線信号を送受信する。無線通信インタフェース９６３は、一般的に、例えばＲＦ回路９６４を含んでもよい。ＲＦ回路９６４は、例えばミキサ、フィルタ及びアンプなどを含んでもよく、アンテナ９４０を介して無線信号を送受信する。図９に示すように、無線通信インタフェース９６３は複数のＲＦ回路９６４を含んでもよい。例えば、複数のＲＦ回路９６４は複数のアンテナ素子をサポートしてもよい。図９は無線通信インタフェース９６３が複数のＲＦ回路９６４を含む例を示したが、無線通信インタフェース９６３は１つのＲＦ回路９６４を含んでもよい。
【０１８９】
図８と図９に示されたｇＮＢ８００とｇＮＢ９３０において、図５を使用して説明された選択ユニット５１０、復調ユニット５３０及び配置ユニット５４０は、コントローラ８２１及び／又はコントローラ９５１により実現されてもよい。機能の少なくとも一部はコントローラ８２１及びコントローラ９５１により実現されてもよい。例えば、コントローラ８２１及び／又はコントローラ９５１は対応するメモリに記憶されているコマンドを実行することによりダウンリンク情報を送信するための送信ビームグループの選択、Ｇ個の送信ビームグループに関する情報の復調及び制御情報の配置の機能を実行する。
【０１９０】
図１０は、本開示内容の技術を応用できるスマートフォン１０００の概略的な構成の一例を示すブロック図である。スマートフォン１０００は、プロセッサ１００１、メモリ１００２、記憶装置１００３、外部接続インタフェース１００４、撮像装置１００６、センサ１００７、マイクロフォン１００８、入力装置２２０９、表示装置１０１０、スピーカ２２１１、無線通信インタフェース１０１２、１つ又は複数のアンテナスイッチ２２１５、１つ又は複数のアンテナ１０１６、バス１０１７、バッテリー１０１８、及び補助コントローラ１０１９を含む。
【０１９１】
プロセッサ１００１は、例えばＣＰＵ又はＳｏＣ（Ｓｙｓｔｅｍ  ｏｎ  Ｃｈｉｐ）であってもよく、スマートフォン１０００のアプリケーションレイヤ及びその他の層の機能を制御する。メモリ１００２はＲＡＭとＲＯＭを含み、データと、プロセッサ１００１により実行されるプログラムを記憶する。記憶装置１００３は記憶媒体、例えば半導体メモリ又はハードディスクを含んでもよい。外部接続インタフェース１００４は、外部装置（例えばメモリーカード又はＵＳＢ（Ｕｎｉｖｅｒｓａｌ  Ｓｅｒｉａｌ  Ｂｕｓ）デバイス）をスマートフォン１０００に接続するためのインタフェースである。
【０１９２】
撮像装置１００６は、画像センサ（例えばＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ））を含み、キャプチャ画像を生成する。センサ１００７は例えば、測定センサ、ジャイロセンサ、地磁気センサ及び加速度センサなどのセンサ群を含んでもよい。マイクロフォン１００８はスマートフォン１０００に入力される音声を音声信号に変換する。入力装置１００９は例えば表示装置１０１０のスクリーン上のタッチを検出するように配置されるタッチセンサ、キーパッド、キーボード、ボタン又はスイッチを含み、ユーザから入力される操作又は情報を受信する。表示装置１０１０はスクリーン（例えば液晶ディスプレイ（ＬＣＤ）、有機発光ダイオード（ＯＬＥＤ）ディスプレイ）を含み、スマートフォン１０００の出力画像を表示する。スピーカ１０１１はスマートフォン１０００から出力される音声信号を音声に変換する。
【０１９３】
無線通信インタフェース１０１２は、任意のセルラー通信方式（例えばＬＴＥ、ＬＴＥ−Ａｄｖａｎｃｅｄ）をサポートし、無線通信を実行する。無線通信インタフェース１０１２は、一般的に、例えばＢＢプロセッサ１０１３とＲＦ回路１０１４とを含んでもよい。ＢＢプロセッサ１０１３は例えば符号化／復号化、変調／復調及び多重化／逆多重化を実行してもよく、無線通信のための様々なタイプの信号処理を実行する。一方、ＲＦ回路１０１４は例えばミキサ、フィルタ及びアンプを含んでもよく、アンテナ１０１６を介して無線信号を送受信する。無線通信インタフェース１０１２はＢＢプロセッサ１０１３とＲＦ回路１０１４を集積したワンチップのモジュールであってもよい。図１０に示すように、無線通信インタフェース１０１２は複数のＢＢプロセッサ１０１３と複数のＲＦ回路１０１４を含んでもよい。図１０は無線通信インタフェース１０１２が複数のＢＢプロセッサ１０１３と複数のＲＦ回路１０１４を含む例を示したが、無線通信インタフェース１０１２は１つのＢＢプロセッサ１０１３又は１つのＲＦ回路１０１４を含んでもよい。
【０１９４】
また、セルラー通信方式に加えて、無線通信インタフェース１０１２は他の種類の無線通信方式、例えば近距離無線通信方式、近接無線通信方式又は無線ＬＡＮ（Ｌｏｃａｌ  Ａｒｅａ  Ｎｅｔｗｏｒｋ）方案をサポートしてもよい。この場合、無線通信インタフェース１０１２は無線通信方式ごとのＢＢプロセッサ１０１３とＲＦ回路１０１４を含んでもよい。
【０１９５】
アンテナスイッチ１０１５のそれぞれは、無線通信インタフェース１０１２に含まれる複数の回路（例えば、異なる無線通信方式のための回路）の間でアンテナ１０１６の接続先をハンドオーバーする。
【０１９６】
アンテナ１０１６のそれぞれは１つの又は複数のアンテナ素子（例えば、ＭＩＭＯアンテナに含まれる複数のアンテナ素子）を含み、無線通信インタフェース１０１２による無線信号の送受信のために用いられる。図１０に示すように、スマートフォン１０００は複数のアンテナ１０１６を含んでもよい。図１０はスマートフォン１０００が複数のアンテナ１０１６を含む例を示したが、スマートフォン１０００は１つのアンテナ１０１６を含んでもよい。
【０１９７】
また、スマートフォン１０００は無線通信方式ごとのアンテナ１０１６を含んでもよい。この場合、アンテナスイッチ１０１５はスマートフォン１０００の構成から省略されてもよい。
【０１９８】
バス１０１７は、プロセッサ１００１、メモリ１００２、記憶装置１００３、外部接続インタフェース１００４、撮像装置１００６、センサ１００７、マイクロフォン１００８、入力装置１００９、表示装置１０１０、スピーカ１０１１、無線通信インタフェース１０１２及び補助コントローラ１０１９を互いに接続する。バッテリー１０１８は部分的に破線で示したフィーダー線を介して図１０に示すスマートフォン１０００の各ブロックにパワーを供給する。補助コントローラ１０１９は例えば、スリープモードにおいて、スマートフォン１０００の必要最低限の機能を動作させる。
【０１９９】
図１０に示すスマートフォン１０００において、図１に記載された選択ユニット１１０、配置ユニット１２０、検出ユニット１４０、決定ユニット１５０はプロセッサ１００１又は補助コントローラ１０１９により実現されてもよい。機能の少なくとも一部はプロセッサ１００１又は補助コントローラ１０１９により実現されてもよい。例えば、プロセッサ１００１又は補助コントローラ１０１９は、メモリ１００２又は記憶装置１００３に記憶されているコマンドを実行することで、Ｇ個の送信ビームグループの選択、選択されたＧ個の送信ビームグループに関する情報の配置、チャネル品質の検出、及びネットワーク側機器によって選択された送信ビームグループの決定の機能を実行する。
【０２００】
図１１は、本開示内容の技術を応用できるカーナビゲーション装置１１２０の概略的な構成の一例を示すブロック図である。カーナビゲーション装置１１２０は、プロセッサ１１２１、メモリ１１２２、ＧＰＳ（Ｇｌｏｂａｌ  Ｐｏｓｉｔｉｏｎｉｎｇ  Ｓｙｓｔｅｍ）モジュール１１２４、センサ１１２５、データインタフェース１１２６、コンテンツプレーヤ１１２７、記憶媒体インタフェース１１２８、入力装置１１２９、表示装置１１３０、スピーカ１１３１、無線通信インタフェース１１３３、１つ又は複数のアンテナスイッチ１１３６、１つ又は複数のアンテナ１１３７及びバッテリー１１３８を含む。
【０２０１】
プロセッサ１１２１は、例えばＣＰＵ又はＳｏＣであってもよく、カーナビゲーション装置１１２０のナビゲーション機能及びその他の機能を制御する。メモリ１１２２はＲＡＭとＲＯＭを含み、データと、プロセッサ１１２１により実行されるプログラムを記憶する。
【０２０２】
ＧＰＳモジュール１１２４は、ＧＰＳ衛星から受信されるＧＰＳ信号を用いて、カーナビゲーション装置１１２０の位置（例えば、緯度、経度及び高度）を測定する。センサ１１２５は、例えば、ジャイロセンサ、地磁気センサ及び気圧センサのセンサ群を含んでもよい。データインタフェース１１２６は、図示しない端末を介して例えば、車載ネットワーク１１４１に接続され、車両で生成されるデータ（例えば車速データ）を取得する。
【０２０３】
コンテンツプレーヤ１１２７は、記憶媒体インタフェース１１２８に挿入される記憶媒体（例えば、ＣＤ又はＤＶＤ）に記憶されているコンテンツを再生する。入力装置１１２９は例えば表示装置１１３０のスクリーン上のタッチを検出するように配置されるタッチセンサ、ボタン又はスイッチを含み、ユーザから入力される操作又は情報を受信する。表示装置１１３０は例えばＬＣＤ又はＯＬＥＤディスプレイのスクリーンを含み、ナビゲーション機能の画像又は再生されるコンテンツを表示する。スピーカ１１３１は、ナビゲーション機能の音声又は再生されるコンテンツを出力する。
【０２０４】
無線通信インタフェース１１３３は、任意のセルラー通信方式（例えばＬＴＥ、ＬＴＥ−Ａｄｖａｎｃｅｄ）をサポートし、無線通信を実行する。無線通信インタフェース１１３３は、一般的に、例えばＢＢプロセッサ１１３４とＲＦ回路１１３５とを含んでもよい。ＢＢプロセッサ１１３４は例えば符号化／復号化、変調／復調及び多重化／逆多重化を実行してもよく、無線通信のための様々なタイプの信号処理を実行する。一方、ＲＦ回路１１３５は例えばミキサ、フィルタ及びアンプを含んでもよく、アンテナ１１３７を介して無線信号を送受信する。無線通信インタフェース１１３３はＢＢプロセッサ１１３４とＲＦ回路１１３５を集積したワンチップのモジュールであってもよい。図１１に示すように、無線通信インタフェース１１３３は複数のＢＢプロセッサ１１３４と複数のＲＦ回路１１３５を含んでもよい。図１１は無線通信インタフェース１１３３が複数のＢＢプロセッサ１１３４と複数のＲＦ回路１１３５を含む例を示したが、無線通信インタフェース１１３３は１つのＢＢプロセッサ１１３４又は１つのＲＦ回路１１３５を含んでもよい。
【０２０５】
また、セルラー通信方式に加えて、無線通信インタフェース１１３３は他の種類の無線通信方式、例えば、近距離無線通信方式、近接無線通信方式又は無線ＬＡＮ方式をサポートしてもよい。この場合、無線通信方式ごとに、無線通信インタフェース１１３３はＢＢプロセッサ１１３４とＲＦ回路１１３５を含んでもよい。
【０２０６】
アンテナスイッチ１１３６のそれぞれは、無線通信インタフェース１１３３に含まれる複数の回路（例えば、異なる無線通信方式のための回路）の間でアンテナ１１３７の接続先をハンドオーバーする。
【０２０７】
アンテナ１１３７のそれぞれは、１つ又は複数のアンテナ素子（例えば、ＭＩＭＯアンテナに含まれる複数のアンテナ素子）を含み、無線通信インタフェース１１３３による無線信号の送受信のために用いられる。図１１に示すように、カーナビゲーション装置１１２０は複数のアンテナ１１３７を含んでもよい。図１１はカーナビゲーション装置１１２０が複数のアンテナ１１３７を含む例を示したが、カーナビゲーション装置１１２０は１つのアンテナ１１３７を含んでもよい。
【０２０８】
また、カーナビゲーション装置１１２０は無線通信方式ごとにアンテナ１１３７を含んでもよい。この場合、アンテナスイッチ１１３６はカーナビゲーション装置１１２０の構成から省略されてもよい。
【０２０９】
バッテリー１１３８は、破線で部分的に示したフィーダー線を介して、図１１に示したカーナビゲーション装置１１２０の各ブロックにパワーを供給する。また、バッテリー１１３８は、車両側から給電されるパワーを蓄積する。
【０２１０】
図１１に示すカーナビゲーション１１２０において、図１に記載された選択ユニット１１０、配置ユニット１２０、検出ユニット１４０、決定ユニットはプロセッサ１１２１により実現されてもよい。機能の少なくとも一部はプロセッサ１１２１により実現されてもよい。例えば、プロセッサ１１２１は、メモリ１１２２に記憶されているコマンドを実行することで、Ｇ個の送信ビームグループの選択、選択されたＧ個の送信ビームグループに関する情報の配置、チャネル品質の検出、及びネットワーク側機器によって選択された送信ビームグループの決定の機能を実行する。
【０２１１】
本開示内容の技術は、カーナビゲーション装置１１２０と、車載ネットワーク１１４１と、車両モジュール１１４２との１つ又は複数のブロックを含む車載システム（又は車両）１１４０として実現されてもよい。車両モジュール１１４２は車両データ（例えば車速、エンジン回転数、故障情報）を生成し、生成したデータを車載ネットワーク１１４１に出力する。
【０２１２】
以上、添付図面を参照しながら本開示の好適な実施形態について説明したが、本開示は以上の例に限定されないことは言うまでもない。当業者は、添付した特許請求の範囲内において、各種の変更または修正することができ、これらの変更または修正についても、当然に本開示の技術的範囲に属する。
【０２１３】
例えば、図面に示されている機能ブロック図で破線のボックスで示されているユニットは、当該機能ユニットが相応する装置において選択可能であることを示しており、各選択可能な機能ユニットは必要な機能を達成するために適切な方法で組み合わせることができる。
【０２１４】
例えば、以上の実施例において１つのユニットに含まれる複数の機能は、別々の装置により実現されてもよい。代わりに、以上の実施例において複数のユニットにより実現される複数のユニットはそれぞれ別々の装置により実現されてもよい。また、以上の機能の１つは複数のユニットにより実現されてもよい。このような構成は本開示の技術的範囲に含まれることは言うまでもない。
【０２１５】
当該明細書において、フローチャートに記載されるステップは、上記順序で時間順に従って実行される処理だけではなく、必ずしも時間順に従う必要がなく並行又は独立に実行される処理を含む。したがって、時系列に従って処理するステップにおいて、当該順序を適宜に変更できることは言うまでもない。
【０２１６】
以上で、図面を結合して本開示の実施例について詳細に記載したが、以上で記載の実施形態は、本開示を説明するためのものであり、限定するものではない。当業者にとって、上記実施形態について、本発明の本質と範囲から逸脱せず各種の修正、変更を行える。したがって、本発明の範囲は付随する特許請求の範囲及びその均等意味により限定される。
【図１】
2021532657.tif 000012
【図２】
2021532657.tif 000013
【図３】
2021532657.tif 000014
【図４】
2021532657.tif 000015
【図５】
2021532657.tif 000016
【図６】
2021532657.tif 000017
【図７】
2021532657.tif 000018
【図８】
2021532657.tif 000019
【図９】
2021532657.tif 000020
【図１０】
2021532657.tif 000021
【図１１】
2021532657.tif 000022
【手続補正書】
【提出日】令和3年3月23日(2021.3.23)
【手続補正１】
【補正対象書類名】特許請求の範囲
【補正対象項目名】全文
【補正方法】変更
【補正の内容】
【特許請求の範囲】
【請求項１】
ユーザ機器であって、
処理回路を含み、
前記処理回路は、
ネットワーク側機器のＫ個の送信ビームからＧ個の送信ビームグループを選択し、
選択されたＧ個の送信ビームグループに関する情報を前記ネットワーク側機器に送信するように配置され、
前記Ｇ個の送信ビームグループにおける各送信ビームグループは、Ｎ個の送信ビームを含み、且つ前記ユーザ機器は、前記ネットワーク側機器が前記Ｎ個の送信ビームを用いて送信したダウンリンク情報を同時に受信することができ、
Ｋ、Ｎ、Ｇは、１よりも大きい整数であるユーザ機器。
【請求項２】
前記処理回路は、さらに、
前記ネットワーク側機器のＣ個の送信ビーム集合に基づいて、前記Ｇ個の送信ビームグループを選択し、各送信ビームグループにＮ個の送信ビーム集合のそれぞれからのＮ個の送信ビームを含ませる、ように配置され、
ＣはＮ以上の整数である請求項１に記載のユーザ機器。
【請求項３】
前記Ｃ個の送信ビーム集合における各送信ビーム集合は、前記ネットワーク側機器の１つ又は複数のアンテナ板によって放射される全ての送信ビームを含む請求項２に記載のユーザ機器。
【請求項４】
前記処理回路は、さらに、
前記ネットワーク側機器のＫ個の送信ビームと前記ユーザ機器との間のチャネル品質に基づいて、前記Ｇ個の送信ビームグループを選択するように配置される請求項２に記載のユーザ機器。
【請求項５】
前記処理回路は、さらに、
所定期間内の各送信ビームと前記ユーザ機器との間のチャネル品質の平均値に基づいて、前記送信ビームと前記ユーザ機器との間のチャネル品質を決定するように配置される請求項４に記載のユーザ機器。
【請求項６】
前記処理回路は、さらに、
前記ネットワーク側機器のＣ個の送信ビーム集合に基づいて、全ての送信ビームグループを決定し、
各送信ビームグループに含まれるＮ個の送信ビームと前記ユーザ機器との間のチャネル品質に基づいて、各送信ビームグループの平均チャネル品質を決定し、
各送信ビームグループの平均チャネル品質に基づいて、前記Ｇ個の送信ビームグループを選択するように配置される請求項４に記載のユーザ機器。
【請求項７】
前記処理回路は、さらに、
前記選択されたＧ個の送信ビームグループに関する情報に、前記Ｇ個の送信ビームグループにおける各送信ビームグループに含まれるＮ個の送信ビームの識別情報を含ませるように配置される請求項２に記載のユーザ機器。
【請求項８】
各送信ビームの識別情報は、前記送信ビームの所在する送信ビーム集合の識別情報と、前記送信ビームの前記送信ビーム集合における識別情報とを含む請求項７に記載のユーザ機器。
【請求項９】
前記処理回路は、さらに、
前記選択されたＧ個の送信ビームグループに関する情報に、前記Ｇ個の送信ビームグループの全て又は一部の送信ビームグループのチャネル品質情報をさらに含ませるように配置される請求項７に記載のユーザ機器。
【請求項１０】
送信ビームグループのチャネル品質情報は、前記送信ビームグループに含まれるＮ個の送信ビームにおける各送信ビームのチャネル品質、又は、前記送信ビームグループの平均チャネル品質を含む請求項９に記載のユーザ機器。
【請求項１１】
前記処理回路は、さらに、
１つのチャネル状態情報ＣＳＩレポートを用いて、前記選択されたＧ個の送信ビームグループに関する情報を搬送するように配置される請求項１に記載のユーザ機器。
【請求項１２】
前記処理回路は、さらに、
前記ネットワーク側機器から制御情報を受信し、
前記制御情報に基づいて、前記ネットワーク側機器によって選択された、ダウンリンク情報を送信するための送信ビームグループを決定するように配置される請求項１に記載のユーザ機器。
【請求項１３】
電子機器であって、
処理回路を含み、
前記処理回路は、
ユーザ機器からＧ個の送信ビームグループに関する情報を受信し、
前記Ｇ個の送信ビームグループから、ダウンリンク情報を送信するための送信ビームグループを選択するように配置され、
前記Ｇ個の送信ビームグループにおける各送信ビームグループはＮ個の送信ビームを含み、且つ、前記ユーザ機器は、前記電子機器が前記Ｎ個の送信ビームを用いて送信したダウンリンク情報を同時に受信することができ、
ＮとＧは、１よりも大きい整数である電子機器。
【請求項１４】
前記処理回路は、さらに、
Ｇ個の送信ビームグループに関する情報に基づいて、前記Ｇ個の送信ビームグループにおける各送信ビームグループに含まれるＮ個の送信ビームの識別情報を決定するように配置される請求項１３に記載の電子機器。
【請求項１５】
各送信ビームの識別情報は、前記送信ビームの所在する送信ビーム集合の識別情報と、前記送信ビームの前記送信ビーム集合における識別情報とを含む請求項１４に記載の電子機器。
【請求項１６】
前記処理回路は、さらに、
Ｇ個の送信ビームグループに関する情報に基づいて、前記Ｇ個の送信ビームグループの全て又は一部の送信ビームグループのチャネル品質情報を決定するように配置される請求項１４に記載の電子機器。
【請求項１７】
送信ビームグループのチャネル品質情報は、前記送信ビームグループに含まれるＮ個の送信ビームにおける各送信ビームのチャネル品質、又は、前記送信ビームグループの平均チャネル品質を含む請求項１６に記載の電子機器。
【請求項１８】
前記処理回路は、さらに、
前記ユーザ機器に制御情報を送信するように配置され、前記制御情報は、選択された、ダウンリンク情報を送信するための送信ビームグループに関する情報を含む請求項１３に記載の電子機器。
【請求項１９】
前記処理回路は、さらに、
前記Ｇ個の送信ビームグループに関する情報を取得するために、前記ユーザ機器から１つのチャネル状態情報ＣＳＩレポートを受信するように配置される請求項１３に記載の電子機器。
【請求項２０】
ユーザ機器により実行される無線通信方法であって、
ネットワーク側機器のＫ個の送信ビームからＧ個の送信ビームグループを選択し、
選択されたＧ個の送信ビームグループに関する情報を前記ネットワーク側機器に送信することを含み、
前記Ｇ個の送信ビームグループにおける各送信ビームグループはＮ個の送信ビームを含み、且つ、前記ユーザ機器は、前記ネットワーク側機器が前記Ｎ個の送信ビームを用いて送信したダウンリンク情報を同時に受信することができ、
Ｋ、Ｎ、Ｇは、１よりも大きい整数である無線通信方法。
【手続補正２】
【補正対象書類名】明細書
【補正対象項目名】０１０８
【補正方法】変更
【補正の内容】
【０１０８】
本開示の実施例によれば、電子機器５００はユーザ機器にＧ及びＮの値を配置することができる。例えば、電子機器５００は、ＲＲＣシグナリングを含むがそれに限定されない高層シグナリングによって、ユーザ機器１００にＧ及び／又はＮの値を配置することができ、且つ、ＤＣＩ情報を含むがそれに限定されない低層シグナリングにより、ユーザ機器に配置されたＧ及び／又はＮの値を動的に変更することができる。
【手続補正３】
【補正対象書類名】明細書
【補正対象項目名】０１７８
【補正方法】変更
【補正の内容】
【０１７８】
ネットワークインタフェース８２３は、基地局機器８２０をコアネットワーク８２４に接続するための通信インタフェースである。コントローラ８２１はネットワークインタフェース８２３を介してコアネットワークノード又は他のｅＮＢと通信してもよい。この場合、ｇＮＢ８００とコアネットワークノード又は他のｅＮＢとはロジックインタフェース（例えばＳ１インタフェースとＸ２インタフェース）により互いに接続される。ネットワークインタフェース８２３は有線通信インタフェース、又は無線バックホール回線に用いられる無線通信インタフェースであってもよい。ネットワークインタフェース８２３が無線通信インタフェースであると、ネットワークインタフェース８２３は無線通信インタフェース８２５により使用される周波数帯域よりも高い周波数帯域を無線通信に使用できる。
【手続補正４】
【補正対象書類名】明細書
【補正対象項目名】０１８２
【補正方法】変更
【補正の内容】
【０１８２】
アンテナ９４０の各々は、１つの又は複数のアンテナ素子（例えば、ＭＩＭＯアンテナに含まれる複数のアンテナ素子）を含み、ＲＲＨ９６０による無線信号の送受信のために用いられる。図９に示すように、ｇＮＢ９３０は複数のアンテナ９４０を含んでもよい。例えば、複数のアンテナ９４０はｇＮＢ９３０が使用する複数の周波数帯域と共用されてもよい。図９はｇＮＢ９３０が複数のアンテナ９４０を含む例を示したが、ｇＮＢ９３０は１つのアンテナ９４０を含んでもよい。
【国際調査報告】
2021532657.tif 000023
2021532657.tif 000024
2021532657.tif 000025
2021532657.tif 000026